(57)【要約】【課題】多数の端末からのデータをデータ収集装置で同時に受信することを回避する。【解決手段】データ収集システム１は、それぞれ第１および第２の端末識別情報が割り当てられた第１および第２の端末４と、第１および第２の端末４から送信データ信号を受信するサーバ２等のデータ収集装置とを含む。データ収集装置は、現在の時刻を出力する時計手段１０と、第１の端末識別情報と第１の次回遅延時間情報とを対応づけて記憶するとともに、第２の端末識別情報と第２の次回遅延時間情報とを対応付けて記憶した遅延時間記憶手段９と、装置制御手段１１とを含む。第１および第２の端末４は、それぞれ端末制御手段１７と、データ収集開始時刻を示すデータ収集開始時刻情報を記憶したデータ収集開始時刻記憶手段１３と、送信開始時刻記憶手段１５と、送信データ記憶手段１８と、時刻監視手段１６とを含む。【選択図】      図１
2015126302.tif 000002
【特許請求の範囲】
【請求項１】
それぞれ第１および第２の端末識別情報が割り当てられた第１および第２の端末と、
前記第１および第２の端末から送信データ信号を受信するデータ収集装置と
を含み、
前記データ収集装置は、
現在の時刻を出力する時計手段と、
前記第１の端末識別情報と第１の次回遅延時間情報とを対応づけて記憶するとともに、前記第２の端末識別情報と第２の次回遅延時間情報とを対応付けて記憶した遅延時間記憶手段と、
装置制御手段と
を含み、
前記装置制御手段は、
前記第１の端末識別情報を含む前記送信データ信号の受信を完了した時に前記時計手段が出力している時刻から該送信データ信号に含まれる第１の送信開始時刻情報で示される第１の送信開始時刻を引いた時間以上の時間に、前記遅延時間記憶手段に記憶されている前記第１の次回遅延時間情報で示される時間を加えた時間を示す情報を前記第２の次回遅延時間情報として前記遅延時間記憶手段に記憶する遅延時間更新処理と、
前記遅延時間記憶手段に記憶された前記第１の次回遅延時間情報と前記第１の端末識別情報とを含む第１の通知信号を送信するとともに、前記遅延時間記憶手段に記憶された前記第２の次回遅延時間情報と前記第２の端末識別情報とを含む第２の通知信号を送信する処理、および、前記遅延時間記憶手段に記憶された前記第１の次回遅延時間情報と前記第１の端末識別情報とを対応付けて含めるとともに、前記遅延時間記憶手段に記憶された前記第２の次回遅延時間情報と前記第２の端末識別情報とを対応付けて含めた第３の通知信号を送信する処理のうちのいずれかの処理からなる通知信号送信処理と
を実行し、
前記第１の端末は、
第１の端末制御手段と、
データ収集開始時刻を示すデータ収集開始時刻情報を記憶した第１のデータ収集開始時刻記憶手段と、
第１の送信開始時刻記憶手段と、
第１の送信データ記憶手段と、
第１の時刻監視手段と
を含み、
前記第１の端末制御手段は、
前記第１の通知信号を受信した場合には、前記第１のデータ収集開始時刻記憶手段に記憶された前記データ収集開始時刻情報で示される前記データ収集開始時刻に、前記第１の通知信号に含まれる前記第１の次回遅延時間情報で示される時間を加えた前記第１の送信開始時刻を示す前記第１の送信開始時刻情報を前記第１の送信開始時刻記憶手段に記憶し、一方、前記第３の通知信号を受信した場合には、前記第１のデータ収集開始時刻記憶手段に記憶された前記データ収集開始時刻情報で示される前記データ収集開始時刻に、前記第３の通知信号に前記第１の端末識別情報と対応付けられて含まれる前記第１の次回遅延時間情報で示される時間を加えた前記第１の送信開始時刻を示す前記第１の送信開始時刻情報を前記第１の送信開始時刻記憶手段に記憶する第１の送信開始時刻記憶処理と、
前記第１の時刻監視手段が前記第１の送信開始時刻記憶手段に記憶された前記第１の送信開始時刻情報で示される時刻が到来したことを検出した時に、前記第１の送信データ記憶手段に記憶されているデータと前記第１の端末識別情報と前記第１の送信開始時刻情報とを含む前記送信データ信号を前記データ収集装置に送信する第１のデータ送信処理と
を実行し、
前記第２の端末は、
第２の端末制御手段と、
前記データ収集開始時刻情報を記憶した第２のデータ収集開始時刻記憶手段と、
第２の送信開始時刻記憶手段と、
第２の送信データ記憶手段と、
第２の時刻監視手段と
を含み、
前記第２の端末制御手段は、
前記第２の通知信号を受信した場合には、前記第２のデータ収集開始時刻記憶手段に記憶された前記データ収集開始時刻情報で示される前記データ収集開始時刻に、前記第２の通知信号に含まれる前記第２の次回遅延時間情報で示される時間を加えた第２の送信開始時刻を示す第２の送信開始時刻情報を前記第２の送信開始時刻記憶手段に記憶し、一方、前記第３の通知信号を受信した場合には、前記第２のデータ収集開始時刻記憶手段に記憶された前記データ収集開始時刻情報で示される前記データ収集開始時刻に、前記第３の通知信号に前記第２の端末識別情報と対応付けられて含まれる前記第２の次回遅延時間情報で示される時間を加えた第２の送信開始時刻を示す第２の送信開始時刻情報を前記第２の送信開始時刻記憶手段に記憶する第２の送信開始時刻記憶処理と、
前記第２の時刻監視手段が前記第２の送信開始時刻記憶手段に記憶された前記第２の送信開始時刻情報で示される時刻が到来したことを検出した時に、前記第２の送信データ記憶手段に記憶されているデータと前記第２の端末識別情報と前記第２の送信開始時刻情報とを含む前記送信データ信号を前記データ収集装置に送信する第２のデータ送信処理と
を実行する
ことを特徴とするデータ収集システム。
【請求項２】
それぞれ第１および第２の端末識別情報が割り当てられた第１および第２の端末と、
前記第１および第２の端末から送信データ信号を受信するデータ収集装置と
を含み、
前記データ収集装置は、
現在の時刻を出力する時計手段と、
データ収集開始時刻を示すデータ収集開始時刻情報を記憶し、且つ、前記第１の端末識別情報と第１の次回遅延時間情報とを対応づけて記憶し、且つ、前記第２の端末識別情報と第２の次回遅延時間情報とを対応付けて記憶した遅延時間記憶手段と、
装置制御手段と
を含み、
前記装置制御手段は、
前記第１の端末識別情報を含む前記送信データ信号の受信を完了した時に前記時計手段が出力している時刻から、前記遅延時間記憶手段に記憶されている前記データ収集開始時刻情報で示される前記データ収集開始時刻に前記遅延時間記憶手段に記憶されている前記第１の次回遅延時間情報で示される時間を加えた時刻を引いた時間以上の時間に、前記遅延時間記憶手段に記憶されている前記第１の次回遅延時間情報で示される時間を加えた時間を示す情報を前記第２の次回遅延時間情報として前記遅延時間記憶手段に記憶する遅延時間更新処理と、
前記遅延時間記憶手段に記憶された前記第１の次回遅延時間情報と前記第１の端末識別情報とを含む第１の通知信号を送信するとともに、前記遅延時間記憶手段に記憶された前記第２の次回遅延時間情報と前記第２の端末識別情報とを含む第２の通知信号を送信する処理、および、前記遅延時間記憶手段に記憶された前記第１の次回遅延時間情報と前記第１の端末識別情報とを対応付けて含めるとともに、前記遅延時間記憶手段に記憶された前記第２の次回遅延時間情報と前記第２の端末識別情報とを対応付けて含めた第３の通知信号を送信する処理のうちのいずれかの処理からなる通知信号送信処理と
を実行し、
前記第１の端末は、
第１の端末制御手段と、
前記データ収集開始時刻情報を記憶した第１のデータ収集開始時刻記憶手段と、
第１の送信開始時刻記憶手段と、
第１の送信データ記憶手段と、
第１の時刻監視手段と
を含み、
前記第１の端末制御手段は、
前記第１の通知信号を受信した場合には、前記第１のデータ収集開始時刻記憶手段に記憶された前記データ収集開始時刻情報で示される前記データ収集開始時刻に、前記第１の通知信号に含まれる前記第１の次回遅延時間情報で示される時間を加えた前記第１の送信開始時刻を示す前記第１の送信開始時刻情報を前記第１の送信開始時刻記憶手段に記憶し、一方、前記第３の通知信号を受信した場合には、前記第３の通知信号に前記第１の端末識別情報と対応付けられて含まれる前記第１の次回遅延時間情報で示される時間を加えた前記第１の送信開始時刻を示す前記第１の送信開始時刻情報を前記第１の送信開始時刻記憶手段に記憶する第１の送信開始時刻記憶処理と、
前記第１の時刻監視手段が前記第１の送信開始時刻記憶手段に記憶された前記第１の送信開始時刻情報で示される時刻が到来したことを検出した時に、前記第１の送信データ記憶手段に記憶されているデータと前記第１の端末識別情報とを含む前記送信データ信号を前記データ収集装置に送信する第１のデータ送信処理と
を実行し、
前記第２の端末は、
第２の端末制御手段と、
前記データ収集開始時刻情報を記憶した第２のデータ収集開始時刻記憶手段と、
第２の送信開始時刻記憶手段と、
第２の送信データ記憶手段と、
第２の時刻監視手段と
を含み、
前記第２の端末制御手段は、
前記第２の通知信号を受信した場合には、前記第２のデータ収集開始時刻記憶手段に記憶された前記データ収集開始時刻情報で示される前記データ収集開始時刻に、前記第２の通知信号に含まれる前記第２の次回遅延時間情報で示される時間を加えた第２の送信開始時刻を示す第２の送信開始時刻情報を前記第２の送信開始時刻記憶手段に記憶し、一方、前記第３の通知信号を受信した場合には、前記第２のデータ収集開始時刻記憶手段に記憶された前記データ収集開始時刻情報で示される前記データ収集開始時刻に、前記第３の通知信号に前記第２の端末識別情報と対応付けられて含まれる前記第２の次回遅延時間情報で示される時間を加えた第２の送信開始時刻を示す第２の送信開始時刻情報を前記第２の送信開始時刻記憶手段に記憶する第２の送信開始時刻記憶処理と、
前記第２の時刻監視手段が前記第２の送信開始時刻記憶手段に記憶された前記第２の送信開始時刻情報で示される時刻が到来したことを検出した時に、前記第２の送信データ記憶手段に記憶されているデータと前記第２の端末識別情報とを含む前記送信データ信号を前記データ収集装置に送信する第２のデータ送信処理と
を実行する
ことを特徴とするデータ収集システム。
【請求項３】
それぞれ第１および第２の端末識別情報が割り当てられた第１および第２の端末と、
前記第１および第２の端末から送信データ信号を受信するデータ収集装置と
を含み、
前記データ収集装置は、
現在の時刻を出力する時計手段と、
前記第１の端末識別情報と第１の次回送信開始時刻情報とを対応づけて記憶するとともに、前記第２の端末識別情報と第２の次回送信開始時刻情報とを対応付けて記憶した送信開始時刻記憶手段と、
装置制御手段と
を含み、
前記装置制御手段は、
前記第１の端末識別情報を含む前記送信データ信号の受信を完了した時に前記時計手段が出力している時刻から前記送信開始時刻記憶手段に記憶された前記第１の次回送信開始時刻情報で示される第１の送信開始時刻を引いた時間以上の時間を、前記送信開始時刻記憶手段に記憶されている前記第１の次回送信開始時刻情報で示される時刻に加えた時刻を示す情報を前記第２の次回送信開始時刻情報として前記送信開始時刻記憶手段に記憶する送信開始時刻更新処理と、
前記送信開始時刻記憶手段に記憶された前記第１の次回送信開始時刻情報と前記第１の端末識別情報とを含む第１の通知信号を送信するとともに、前記送信開始時刻記憶手段に記憶された前記第２の次回送信開始時刻情報と前記第２の端末識別情報とを含む第２の通知信号を送信する処理、および、前記送信開始時刻記憶手段に記憶された前記第１の次回送信開始時刻情報と前記第１の端末識別情報とを対応付けて含めるとともに、前記送信開始時刻記憶手段に記憶された前記第２の次回送信開始時刻情報と前記第２の端末識別情報とを対応付けて含めた第３の通知信号を送信する処理のうちのいずれかの処理からなる通知信号送信処理と
を実行し、
前記第１の端末は、
第１の端末制御手段と、
第１の送信開始時刻記憶手段と、
第１の送信データ記憶手段と、
第１の時刻監視手段と
を含み、
前記第１の端末制御手段は、
前記第１の通知信号を受信した場合には、該第１の通知信号に含まれる前記第１の次回送信開始時刻情報を前記第１の送信開始時刻記憶手段に記憶し、一方、前記第３の通知信号を受信した場合には、前記第３の通知信号に前記第１の端末識別情報と対応付けられて含まれる前記第１の次回送信開始時刻情報を前記第１の送信開始時刻記憶手段に記憶する第１の送信開始時刻記憶処理と、
前記第１の時刻監視手段が前記第１の送信開始時刻記憶手段に記憶された前記第１の次回送信開始時刻情報で示される時刻が到来したことを検出した時に、前記第１の送信データ記憶手段に記憶されているデータと前記第１の端末識別情報とを含む前記送信データ信号を前記データ収集装置に送信する第１のデータ送信処理と
を実行し、
前記第２の端末は、
第２の端末制御手段と、
第２の送信開始時刻記憶手段と、
第２の送信データ記憶手段と、
第２の時刻監視手段と
を含み、
前記第２の端末制御手段は、
前記第２の通知信号を受信した場合には、該第２の通知信号に含まれる前記第２の次回送信開始時刻情報を前記第２の送信開始時刻記憶手段に記憶し、一方、前記第３の通知信号を受信した場合には、前記第３の通知信号に前記第２の端末識別情報と対応付けられて含まれる前記第２の次回送信開始時刻情報を前記第２の送信開始時刻記憶手段に記憶する第２の送信開始時刻記憶処理と、
前記第２の時刻監視手段が前記第２の送信開始時刻記憶手段に記憶された前記第２の次回送信開始時刻情報で示される時刻が到来したことを検出した時に、前記第２の送信データ記憶手段に記憶されているデータと前記第２の端末識別情報とを含む前記送信データ信号を前記データ収集装置に送信する第２のデータ送信処理と
を実行する
ことを特徴とするデータ収集システム。
【請求項４】
それぞれ第１および第２の端末識別情報が割り当てられた第１および第２の端末と、
前記第１および第２の端末から送信データ信号を受信するデータ収集装置と
を含み、
前記データ収集装置は、
現在の時刻を出力する時計手段と、
前記第１の端末識別情報と過去の前記第１の端末から前記データ収集装置への前記送信データ信号の送信回数を示す第１の累積送信回数情報と過去の前記第１の端末から前記データ収集装置への前記送信データ信号の送信時間を累積した累積送信時間を示す第１の累積送信時間情報と第１の次回遅延時間情報とを対応づけて記憶するとともに、前記第２の端末識別情報と過去の前記第２の端末から前記データ収集装置への前記送信データ信号の送信回数を示す第２の累積送信回数情報と過去の前記第２の端末から前記データ収集装置への前記送信データ信号の送信時間を累積した累積送信時間を示す第２の累積送信時間情報と第２の次回遅延時間情報とを対応付けて記憶した遅延時間記憶手段と、
装置制御手段と
を含み、
前記装置制御手段は、
前記第１の端末識別情報を含む前記送信データ信号を受信したときに、前記遅延時間記憶手段に記憶されている前記第１の累積送信回数情報で示される送信回数に１を加えた新たな送信回数を示す情報で前記遅延時間記憶手段に記憶された前記第１の累積送信回数情報を更新し、前記第１の端末識別情報を含む前記送信データ信号を受信した時の前記時計手段が出力している時刻から該送信データ信号に含まれる第１の送信開始時刻情報で示される第１の送信開始時刻を引いた時間を前記遅延時間記憶手段に記憶されている前記第１の累積送信時間情報で示される累積送信時間に加えた新たな累積送信時間を示す情報で前記遅延時間記憶手段に記憶された前記第１の累積送信時間情報を更新し、更新された前記第１の累積送信時間情報で示される累積送信時間を、更新された前記第１の累積送信回数情報で示される累積送信回数で除した平均送信時間以上の時間に、前記遅延時間記憶手段に記憶されている前記第１の次回遅延時間情報で示される時間を加えた時間を示す情報を前記第２の次回遅延時間情報として前記遅延時間記憶手段に記憶する遅延時間更新処理と、
前記遅延時間記憶手段に記憶された前記第１の次回遅延時間情報と前記第１の端末識別情報とを含む第１の通知信号を送信するとともに、前記遅延時間記憶手段に記憶された前記第２の次回遅延時間情報と前記第２の端末識別情報とを含む第２の通知信号を送信する処理、および、前記遅延時間記憶手段に記憶された前記第１の次回遅延時間情報と前記第１の端末識別情報とを対応付けて含めるとともに、前記遅延時間記憶手段に記憶された前記第２の次回遅延時間情報と前記第２の端末識別情報とを対応付けて含めた第３の通知信号を送信する処理のうちのいずれかの処理からなる通知信号送信処理と
を実行し、
前記第１の端末は、
第１の端末制御手段と、
データ収集開始時刻を示すデータ収集開始時刻情報を記憶した第１のデータ収集開始時刻記憶手段と、
第１の送信開始時刻記憶手段と、
第１の送信データ記憶手段と、
第１の時刻監視手段と
を含み、
前記第１の端末制御手段は、
前記第１の通知信号を受信した場合には、前記第１のデータ収集開始時刻記憶手段に記憶された前記データ収集開始時刻情報で示される前記データ収集開始時刻に、前記第１の通知信号に含まれる前記第１の次回遅延時間情報で示される時間を加えた第１の送信開始時刻を示す第１の送信開始時刻情報を前記第１の送信開始時刻記憶手段に記憶し、一方、前記第３の通知信号を受信した場合には、前記第１のデータ収集開始時刻記憶手段に記憶された前記データ収集開始時刻情報で示される前記データ収集開始時刻に、前記第３の通知信号に前記第１の端末識別情報と対応付けられて含まれる前記第１の次回遅延時間情報で示される時間を加えた前記第１の送信開始時刻を示す前記第１の送信開始時刻情報を前記第１の送信開始時刻記憶手段に記憶する第１の送信開始時刻記憶処理と、
前記第１の時刻監視手段が前記第１の送信開始時刻記憶手段に記憶された前記第１の送信開始時刻情報で示される時刻が到来したことを検出した時に、前記第１の送信データ記憶手段に記憶されているデータと前記第１の端末識別情報と前記第１の送信開始時刻情報とを含む前記送信データ信号を前記データ収集装置に送信する第１のデータ送信処理と
を実行し、
前記第２の端末は、
第２の端末制御手段と、
前記データ収集開始時刻情報を記憶した第２のデータ収集開始時刻記憶手段と、
第２の送信開始時刻記憶手段と、
第２の送信データ記憶手段と、
第２の時刻監視手段と
を含み、
前記第２の端末制御手段は、
前記第２の通知信号を受信した場合には、前記第２のデータ収集開始時刻記憶手段に記憶された前記データ収集開始時刻情報で示される前記データ収集開始時刻に、前記第２の通知信号に含まれる前記第２の次回遅延時間情報で示される時間を加えた第２の送信開始時刻を示す第２の送信開始時刻情報を前記第２の送信開始時刻記憶手段に記憶し、一方、前記第３の通知信号を受信した場合には、前記第２のデータ収集開始時刻記憶手段に記憶された前記データ収集開始時刻情報で示される前記データ収集開始時刻に、前記第３の通知信号に前記第２の端末識別情報と対応付けられて含まれる前記第２の次回遅延時間情報で示される時間を加えた第２の送信開始時刻を示す第２の送信開始時刻情報を前記第２の送信開始時刻記憶手段に記憶する第２の送信開始時刻記憶処理と、
前記第２の時刻監視手段が前記第２の送信開始時刻記憶手段に記憶された前記第２の送信開始時刻情報で示される時刻が到来したことを検出した時に、前記第２の送信データ記憶手段に記憶されているデータと前記第２の端末識別情報と前記第２の送信開始時刻情報とを含む前記送信データ信号を前記データ収集装置に送信する第２のデータ送信処理と
を実行する
ことを特徴とするデータ収集システム。
【請求項５】
それぞれ第１および第２の端末識別情報が割り当てられた第１および第２の端末と、
前記第１および第２の端末から送信データ信号を受信するデータ収集装置と
を含み、
前記データ収集装置は、
現在の時刻を出力する時計手段と、
データ収集開始時刻を示すデータ収集開始時刻情報を記憶し、且つ、前記第１の端末識別情報と過去の前記第１の端末から前記データ収集装置への前記送信データ信号の送信回数を示す第１の累積送信回数情報と過去の前記第１の端末から前記データ収集装置への前記送信データ信号の送信時間を累積した累積送信時間を示す第１の累積送信時間情報と第１の次回遅延時間情報とを対応づけて記憶するとともに、前記第２の端末識別情報と過去の前記第２の端末から前記データ収集装置への前記送信データ信号の送信回数を示す第２の累積送信回数情報と過去の前記第２の端末から前記データ収集装置への前記送信データ信号の送信時間を累積した累積送信時間を示す第２の累積送信時間情報と第２の次回遅延時間情報とを対応付けて記憶した遅延時間記憶手段と、
装置制御手段と
を含み、
前記装置制御手段は、
前記第１の端末識別情報を含む前記送信データ信号を受信したときに、前記遅延時間記憶手段に記憶されている前記第１の累積送信回数情報で示される送信回数に１を加えた新たな送信回数を示す情報で前記遅延時間記憶手段に記憶された前記第１の累積送信回数情報を更新し、前記第１の端末識別情報を含む前記送信データ信号を受信した時の前記時計手段が出力している時刻から、前記遅延時間記憶手段に記憶されている前記データ収集開始時刻情報で示される前記データ収集開始時刻に前記遅延時間記憶手段に記憶されている前記第１の次回遅延時間情報で示される時間を加えた時刻を引いた時間を前記遅延時間記憶手段に記憶されている前記第１の累積送信時間情報で示される累積送信時間に加えた新たな累積送信時間を示す情報で前記遅延時間記憶手段に記憶された前記第１の累積送信時間情報を更新し、更新された前記第１の累積送信時間情報で示される累積送信時間を、更新された前記第１の累積送信回数情報で示される累積送信回数で除した平均送信時間以上の時間に、前記遅延時間記憶手段に記憶されている前記第１の次回遅延時間情報で示される時間を加えた時間を示す情報を前記第２の次回遅延時間情報として前記遅延時間記憶手段に記憶する遅延時間更新処理と、
前記遅延時間記憶手段に記憶された前記第１の次回遅延時間情報と前記第１の端末識別情報とを含む第１の通知信号を送信するとともに、前記遅延時間記憶手段に記憶された前記第２の次回遅延時間情報と前記第２の端末識別情報とを含む第２の通知信号を送信する処理、および、前記遅延時間記憶手段に記憶された前記第１の次回遅延時間情報と前記第１の端末識別情報とを対応付けて含めるとともに、前記遅延時間記憶手段に記憶された前記第２の次回遅延時間情報と前記第２の端末識別情報とを対応付けて含めた第３の通知信号を送信する処理のうちのいずれかの処理からなる通知信号送信処理と
を実行し、
前記第１の端末は、
第１の端末制御手段と、
データ収集開始時刻を示すデータ収集開始時刻情報を記憶した第１のデータ収集開始時刻記憶手段と、
第１の送信開始時刻記憶手段と、
第１の送信データ記憶手段と、
第１の時刻監視手段と
を含み、
前記第１の端末制御手段は、
前記第１の通知信号を受信した場合には、前記第１のデータ収集開始時刻記憶手段に記憶された前記データ収集開始時刻情報で示される前記データ収集開始時刻に、前記第１の通知信号に含まれる前記第１の次回遅延時間情報で示される時間を加えた第１の送信開始時刻を示す第１の送信開始時刻情報を前記第１の送信開始時刻記憶手段に記憶し、一方、前記第３の通知信号を受信した場合には、前記第１のデータ収集開始時刻記憶手段に記憶された前記データ収集開始時刻情報で示される前記データ収集開始時刻に、前記第３の通知信号に前記第１の端末識別情報と対応付けられて含まれる前記第１の次回遅延時間情報で示される時間を加えた前記第１の送信開始時刻を示す前記第１の送信開始時刻情報を前記第１の送信開始時刻記憶手段に記憶する第１の送信開始時刻記憶処理と、
前記第１の時刻監視手段が前記第１の送信開始時刻記憶手段に記憶された前記第１の送信開始時刻情報で示される時刻が到来したことを検出した時に、前記第１の送信データ記憶手段に記憶されているデータと前記第１の端末識別情報とを含む前記送信データ信号を前記データ収集装置に送信する第１のデータ送信処理とを実行し、
前記第２の端末は、
第２の端末制御手段と、
前記データ収集開始時刻情報を記憶した第２のデータ収集開始時刻記憶手段と、
第２の送信開始時刻記憶手段と、
第２の送信データ記憶手段と、
第２の時刻監視手段と
を含み、
前記第２の端末制御手段は、
前記第２の通知信号を受信した場合には、前記第２のデータ収集開始時刻記憶手段に記憶された前記データ収集開始時刻情報で示される前記データ収集開始時刻に、前記第２の通知信号に含まれる前記第２の次回遅延時間情報で示される時間を加えた第２の送信開始時刻を示す第２の送信開始時刻情報を前記第２の送信開始時刻記憶手段に記憶し、一方、前記第３の通知信号を受信した場合には、前記第２のデータ収集開始時刻記憶手段に記憶された前記データ収集開始時刻情報で示される前記データ収集開始時刻に、前記第３の通知信号に前記第２の端末識別情報と対応付けられて含まれる前記第２の次回遅延時間情報で示される時間を加えた第２の送信開始時刻を示す第２の送信開始時刻情報を前記第２の送信開始時刻記憶手段に記憶する第２の送信開始時刻記憶処理と、
前記第２の時刻監視手段が前記第２の送信開始時刻記憶手段に記憶された前記第２の送信開始時刻情報で示される時刻が到来したことを検出した時に、前記第２の送信データ記憶手段に記憶されているデータと前記第２の端末識別情報とを含む前記送信データ信号を前記データ収集装置に送信する第２のデータ送信処理と
を実行する
ことを特徴とするデータ収集システム。
【請求項６】
それぞれ第１および第２の端末識別情報が割り当てられた第１および第２の端末と、
前記第１および第２の端末から送信データ信号を受信するデータ収集装置と
を含み、
前記データ収集装置は、
現在の時刻を出力する時計手段と、
前記第１の端末識別情報と過去の前記第１の端末から前記データ収集装置への前記送信データ信号の送信回数を示す第１の累積送信回数情報と過去の前記第１の端末から前記データ収集装置への前記送信データ信号の送信時間を累積した累積送信時間を示す第１の累積送信時間情報と第１の次回送信開始時刻情報とを対応づけて記憶するとともに、前記第２の端末識別情報と過去の前記第２の端末から前記データ収集装置への前記送信データ信号の送信回数を示す第２の累積送信回数情報と過去の前記第２の端末から前記データ収集装置への前記送信データ信号の送信時間を累積した累積送信時間を示す第２の累積送信時間情報と第２の次回送信開始時刻情報とを対応付けて記憶した送信開始時刻記憶手段と、
装置制御手段と
を含み、
前記装置制御手段は、
前記第１の端末識別情報を含む前記送信データ信号を受信したときに、前記送信開始時刻記憶手段に記憶されている前記第１の累積送信回数情報で示される送信回数に１を加えた新たな送信回数を示す情報で前記送信開始時刻記憶手段に記憶された前記第１の累積送信回数情報を更新し、前記第１の端末識別情報を含む前記送信データ信号を受信した時の前記時計手段が出力している時刻から前記送信開始時刻記憶手段に記憶された前記第１の送信開始時刻を引いた時間を前記送信開始時刻記憶手段に記憶されている前記第１の累積送信時間情報で示される累積送信時間に加えた新たな累積送信時間を示す情報で前記送信開始時刻記憶手段に記憶された前記第１の累積送信時間情報を更新し、更新された前記第１の累積送信時間情報で示される累積送信時間を、更新された前記第１の累積送信回数情報で示される累積送信回数で除した平均送信時間以上の時間を、前記送信開始時刻記憶手段に記憶されている前記第１の送信開始時刻情報で示される時刻に加えた時刻を示す情報を前記第２の次回送信開始時刻情報として前記送信開始時刻記憶手段に記憶する送信開始時刻時間更新処理と、
前記送信開始時刻記憶手段に記憶された前記第１の次回送信開始時刻情報と前記第１の端末識別情報とを含む第１の通知信号を送信するとともに、前記送信開始時刻記憶手段に記憶された前記第２の次回送信開始時刻情報と前記第２の端末識別情報とを含む第２の通知信号を送信する処理、および、前記送信開始時刻記憶手段に記憶された前記第１の次回送信開始時刻情報と前記第１の端末識別情報とを対応付けて含めるとともに、前記送信開始時刻記憶手段に記憶された前記第２の次回送信開始時刻情報と前記第２の端末識別情報とを対応付けて含めた第３の通知信号を送信する処理のうちのいずれかの処理からなる通知信号送信処理と
を実行し、
前記第１の端末は、
第１の端末制御手段と、
第１の送信開始時刻記憶手段と、
第１の送信データ記憶手段と、
第１の時刻監視手段と
を含み、
前記第１の端末制御手段は、
前記第１の通知信号を受信した場合には、該第１の通知信号に含まれる前記第１の次回送信開始時刻情報を前記第１の送信開始時刻記憶手段に記憶し、一方、前記第３の通知信号を受信した場合には、前記第３の通知信号に前記第１の端末識別情報と対応付けられて含まれる前記第１の次回送信開始時刻情報を前記第１の送信開始時刻記憶手段に記憶する第１の送信開始時刻記憶処理と、
前記第１の時刻監視手段が前記第１の送信開始時刻記憶手段に記憶された前記第１の次回送信開始時刻情報で示される時刻が到来したことを検出した時に、前記第１の送信データ記憶手段に記憶されているデータと前記第１の端末識別情報とを含む前記送信データ信号を前記データ収集装置に送信する第１のデータ送信処理と
を実行し、
前記第２の端末は、
第２の端末制御手段と、
第２の送信開始時刻記憶手段と、
第２の送信データ記憶手段と、
第２の時刻監視手段と
を含み、
前記第２の端末制御手段は、
前記第２の通知信号を受信した場合には、該第２の通知信号に含まれる前記第２の次回送信開始時刻情報を前記第２の送信開始時刻記憶手段に記憶し、一方、前記第３の通知信号を受信した場合には、前記第３の通知信号に前記第２の端末識別情報と対応付けられて含まれる前記第２の次回送信開始時刻情報を前記第２の送信開始時刻記憶手段に記憶する第２の送信開始時刻記憶処理と、
前記第２の時刻監視手段が前記第２の送信開始時刻記憶手段に記憶された前記第２の次回送信開始時刻情報で示される時刻が到来したことを検出した時に、前記第２の送信データ記憶手段に記憶されているデータと前記第２の端末識別情報とを含む前記送信データ信号を前記データ収集装置に送信する第２のデータ送信処理と
を実行する
ことを特徴とするデータ収集システム。
【請求項７】
第１の端末に割り当てられた第１の端末識別情報と第１の次回遅延時間情報とを対応づけて記憶するとともに、第２の端末に割り当てられた第２の端末識別情報と第２の次回遅延時間情報とを対応付けて記憶した遅延時間記憶手段を有するデータ収集装置において、前記第１の端末識別情報を含む送信データ信号の受信を完了した時刻から該送信データ信号に含まれる第１の送信開始時刻情報で示される第１の送信開始時刻を引いた時間以上の時間に、前記遅延時間記憶手段に記憶されている前記第１の次回遅延時間情報で示される時間を加えた時間を示す情報を前記第２の次回遅延時間情報として前記遅延時間記憶手段に記憶する遅延時間更新ステップと、
前記遅延時間記憶手段に記憶された前記第１の次回遅延時間情報と前記第１の端末識別情報とを含む第１の通知信号を前記データ収集装置から送信するとともに、前記遅延時間記憶手段に記憶された前記第２の次回遅延時間情報と前記第２の端末識別情報とを含む第２の通知信号を前記データ収集装置から送信するステップ、および、前記遅延時間記憶手段に記憶された前記第１の次回遅延時間情報と前記第１の端末識別情報とを対応付けて含めるとともに、前記遅延時間記憶手段に記憶された前記第２の次回遅延時間情報と前記第２の端末識別情報とを対応付けて含めた第３の通知信号を前記データ収集装置から送信するステップのうちのいずれかのステップからなる通知信号送信ステップと、
前記第１の端末が前記第１の通知信号を受信した場合には、前記第１の端末に設けられた第１のデータ収集開始時刻記憶手段に記憶されたデータ収集開始時刻情報で示されるデータ収集開始時刻に、前記第１の通知信号に含まれる前記第１の次回遅延時間情報で示される時間を加えた前記第１の送信開始時刻を示す前記第１の送信開始時刻情報を前記第１の端末に設けられた第１の送信開始時刻記憶手段に記憶し、一方、前記第１の端末が前記第３の通知信号を受信した場合には、前記第１のデータ収集開始時刻記憶手段に記憶された前記データ収集開始時刻情報で示される前記データ収集開始時刻に、前記第３の通知信号に前記第１の端末識別情報と対応付けられて含まれる前記第１の次回遅延時間情報で示される時間を加えた前記第１の送信開始時刻を示す前記第１の送信開始時刻情報を前記第１の送信開始時刻記憶手段に記憶する第１の送信開始時刻記憶ステップと、
前記第１の端末が前記第１の送信開始時刻記憶手段に記憶された前記第１の送信開始時刻情報で示される時刻が到来したことを検出した時に、前記第１の端末に設けられた第１の送信データ記憶手段に記憶されているデータと前記第１の端末識別情報と前記第１の送信開始時刻情報とを含む前記送信データ信号を前記データ収集装置に送信する第１のデータ送信ステップと
前記第２の端末が前記第２の通知信号を受信した場合には、前記第２の端末に設けられた第２のデータ収集開始時刻記憶手段に記憶された前記データ収集開始時刻情報で示される前記データ収集開始時刻に、前記第２の通知信号に含まれる前記第２の次回遅延時間情報で示される時間を加えた第２の送信開始時刻を示す第２の送信開始時刻情報を前記第２の端末に設けられた第２の送信開始時刻記憶手段に記憶し、一方、前記第２の端末が前記第３の通知信号を受信した場合には、前記第２のデータ収集開始時刻記憶手段に記憶された前記データ収集開始時刻情報で示される前記データ収集開始時刻に、前記第３の通知信号に前記第２の端末識別情報と対応付けられて含まれる前記第２の次回遅延時間情報で示される時間を加えた前記第２の送信開始時刻を示す前記第２の送信開始時刻情報を前記第２の送信開始時刻記憶手段に記憶する第２の送信開始時刻記憶ステップと、
前記第２の端末が前記第２の送信開始時刻記憶手段に記憶された前記第２の送信開始時刻情報で示される時刻が到来したことを検出した時に、前記第２の端末に設けられた第２の送信データ記憶手段に記憶されているデータと前記第２の端末識別情報と前記第２の送信開始時刻情報とを含む前記送信データ信号を前記データ収集装置に送信する第２のデータ送信ステップと
を含むことを特徴とするデータ収集方法。
【請求項８】
第１の端末に割り当てられた第１の端末識別情報と第１の次回送信開始時刻情報とを対応づけて記憶するとともに、第２の端末に割り当てられた第２の端末識別情報と第２の次回送信開始時刻情報とを対応付けて記憶する送信開始時刻記憶手段を含むデータ収集装置において、前記第１の端末識別情報を含む送信データ信号の受信を完了した時の時刻から、前記送信開始時刻記憶手段に記憶された前記第１の次回送信開始時刻情報で示される第１の送信開始時刻を引いた時間以上の時間を、前記送信開始時刻記憶手段に記憶されている前記第１の次回送信開始時刻情報で示される時刻に加えた時刻を示す情報を前記第２の次回送信開始時刻情報として前記送信開始時刻記憶手段に記憶する送信開始時刻更新ステップと、
前記送信開始時刻記憶手段に記憶された前記第１の次回送信開始時刻情報と前記第１の端末識別情報とを含む第１の通知信号を前記データ収集装置から送信するとともに、前記送信開始時刻記憶手段に記憶された前記第２の次回送信開始時刻情報と前記第２の端末識別情報とを含む第２の通知信号を前記データ収集装置から送信するステップ、および、前記送信開始時刻記憶手段に記憶された前記第１の次回送信開始時刻情報と前記第１の端末識別情報とを対応付けて含めるとともに、前記送信開始時刻記憶手段に記憶された前記第２の次回送信開始時刻情報と前記第２の端末識別情報とを対応付けて含めた第３の通知信号を前記データ収集装置から送信するステップのうちのいずれかのステップからなる通知信号送信ステップと、
前記第１の端末が前記第１の通知信号を受信した場合には、該第１の通知信号に含まれる前記第１の次回送信開始時刻情報を前記第１の端末に設けられた第１の送信開始時刻記憶手段に記憶し、一方、前記第１の端末が前記第３の通知信号を受信した場合には、前記第３の通知信号に前記第１の端末識別情報と対応付けられて含まれる前記第１の次回送信開始時刻情報を前記第１の送信開始時刻記憶手段に記憶する第１の送信開始時刻記憶ステップと、
前記第１の端末が前記第１の送信開始時刻記憶手段に記憶された前記第１の次回送信開始時刻情報で示される時刻が到来したことを検出した時に、前記第１の端末に設けられた第１の送信データ記憶手段に記憶されているデータと前記第１の端末識別情報とを含む前記送信データ信号を前記データ収集装置に送信する第１のデータ送信ステップと、
前記第２の端末が前記第２の通知信号を受信した場合には、該第２の通知信号に含まれる前記第２の次回送信開始時刻情報を前記第２の端末に設けられた第２の送信開始時刻記憶手段に記憶し、一方、前記第２の端末が前記第３の通知信号を受信した場合には、前記第３の通知信号に前記第２の端末識別情報と対応付けられて含まれる前記第２の次回送信開始時刻情報を前記第２の送信開始時刻記憶手段に記憶する第２の送信開始時刻記憶ステップと、
前記第２の端末が前記第２の送信開始時刻記憶手段に記憶された前記第２の次回送信開始時刻情報で示される時刻が到来したことを検出した時に、前記第２の端末に設けられた第２の送信データ記憶手段に記憶されているデータと前記第２の端末識別情報とを含む前記送信データ信号を前記データ収集装置に送信する第２のデータ送信ステップと
を含むことを特徴とするデータ収集方法。
【請求項９】
第１の端末に割り当てられた第１の端末識別情報と過去の前記第１の端末からデータ収集装置への送信データ信号の送信回数を示す第１の累積送信回数情報と過去の前記第１の端末から前記データ収集装置への前記送信データ信号の送信時間を累積した累積送信時間を示す第１の累積送信時間情報と第１の次回遅延時間情報とを対応づけて記憶するとともに、第２の端末に割り当てられた第２の端末識別情報と過去の前記第２の端末から前記データ収集装置への前記送信データ信号の送信回数を示す第２の累積送信回数情報と過去の前記第２の端末から前記データ収集装置への前記送信データ信号の送信時間を累積した累積送信時間を示す第２の累積送信時間情報と第２の次回遅延時間情報とを対応付けて記憶した遅延時間記憶手段を含む前記データ取集装置において、前記第１の端末識別情報を含む前記送信データ信号を受信したときに、前記遅延時間記憶手段に記憶されている前記第１の累積送信回数情報で示される送信回数に１を加えた新たな送信回数を示す情報で前記遅延時間記憶手段に記憶された前記第１の累積送信回数情報を更新し、前記第１の端末識別情報を含む前記送信データ信号を受信した時刻から該送信データ信号に含まれる第１の送信開始時刻情報で示される第１の送信開始時刻を引いた時間を前記遅延時間記憶手段に記憶されている前記第１の累積送信時間情報で示される累積送信時間に加えた新たな累積送信時間を示す情報で前記遅延時間記憶手段に記憶された前記第１の累積送信時間情報を更新し、更新された前記第１の累積送信時間情報で示される累積送信時間を、更新された前記第１の累積送信回数情報で示される累積送信回数で除した平均送信時間以上の時間に、前記遅延時間記憶手段に記憶されている前記第１の次回遅延時間情報で示される時間を加えた時間を示す情報を前記第２の次回遅延時間情報として前記遅延時間記憶手段に記憶する遅延時間更新ステップと、
前記遅延時間記憶手段に記憶された前記第１の次回遅延時間情報と前記第１の端末識別情報とを含む第１の通知信号を前記データ収集装置から送信するとともに、前記遅延時間記憶手段に記憶された前記第２の次回遅延時間情報と前記第２の端末識別情報とを含む第２の通知信号を前記データ収集装置から送信するステップ、および、前記遅延時間記憶手段に記憶された前記第１の次回遅延時間情報と前記第１の端末識別情報とを対応付けて含めるとともに、前記遅延時間記憶手段に記憶された前記第２の次回遅延時間情報と前記第２の端末識別情報とを対応付けて含めた第３の通知信号を前記データ収集装置から送信するステップのうちのいずれかのステップからなる通知信号送信ステップと、
前記第１の端末が前記第１の通知信号を受信した場合には、前記第１の端末に設けられた第１のデータ収集開始時刻記憶手段に記憶されたデータ収集開始時刻情報で示されるデータ収集開始時刻に、前記第１の通知信号に含まれる前記第１の次回遅延時間情報で示される時間を加えた第１の送信開始時刻を示す第１の送信開始時刻情報を前記第１の端末に設けられた第１の送信開始時刻記憶手段に記憶し、一方、前記第１の端末が前記第３の通知信号を受信した場合には、前記第１のデータ収集開始時刻記憶手段に記憶された前記データ収集開始時刻情報で示される前記データ収集開始時刻に、前記第３の通知信号に前記第１の端末識別情報と対応付けられて含まれる前記第１の次回遅延時間情報で示される時間を加えた前記第１の送信開始時刻を示す前記第１の送信開始時刻情報を前記第１の送信開始時刻記憶手段に記憶する第１の送信開始時刻記憶ステップと、
前記第１の端末が前記第１の送信開始時刻記憶手段に記憶された前記第１の送信開始時刻情報で示される時刻が到来したことを検出した時に、前記第１の端末に設けられた第１の送信データ記憶手段に記憶されているデータと前記第１の端末識別情報と前記第１の送信開始時刻情報とを含む前記送信データ信号を前記データ収集装置に送信する第１のデータ送信ステップと、
前記第２の端末が前記第２の通知信号を受信した場合には、前記第２の端末に設けられた第２のデータ収集開始時刻記憶手段に記憶された前記データ収集開始時刻情報で示される前記データ収集開始時刻に、前記第２の通知信号に含まれる前記第２の次回遅延時間情報で示される時間を加えた第２の送信開始時刻を示す第２の送信開始時刻情報を前記第２の端末に設けられた第２の送信開始時刻記憶手段に記憶し、一方、前記第２の端末が前記第３の通知信号を受信した場合には、前記第２のデータ収集開始時刻記憶手段に記憶された前記データ収集開始時刻情報で示される前記データ収集開始時刻に、前記第３の通知信号に前記第２の端末識別情報と対応付けられて含まれる前記第２の次回遅延時間情報で示される時間を加えた前記第２の送信開始時刻を示す前記第２の送信開始時刻情報を前記第２の送信開始時刻記憶手段に記憶する第２の送信開始時刻記憶ステップと、
前記第２の端末が前記第２の送信開始時刻記憶手段に記憶された前記第２の送信開始時刻情報で示される時刻が到来したことを検出した時に、前記第２の端末に設けられた第２の送信データ記憶手段に記憶されているデータと前記第２の端末識別情報と前記第２の送信開始時刻情報とを含む前記送信データ信号を前記データ収集装置に送信する第２のデータ送信ステップと
を含むことを特徴とするデータ収集方法。
【請求項１０】
第１の端末に割り当てられた第１の端末識別情報と過去の前記第１の端末からデータ収集装置への送信データ信号の送信回数を示す第１の累積送信回数情報と過去の前記第１の端末から前記データ収集装置への前記送信データ信号の送信時間を累積した累積送信時間を示す第１の累積送信時間情報と第１の次回送信開始時刻情報とを対応づけて記憶するとともに、第２の端末に割り当てられた第２の端末識別情報と過去の前記第２の端末から前記データ収集装置への前記送信データ信号の送信回数を示す第２の累積送信回数情報と過去の前記第２の端末から前記データ収集装置への前記送信データ信号の送信時間を累積した累積送信時間を示す第２の累積送信時間情報と第２の次回送信開始時刻情報とを対応付けて記憶した送信開始時刻記憶手段を含む前記データ収集装置において、前記第１の端末識別情報を含む前記送信データ信号を受信したときに、前記送信開始時刻記憶手段に記憶されている前記第１の累積送信回数情報で示される送信回数に１を加えた新たな送信回数を示す情報で前記送信開始時刻記憶手段に記憶された前記第１の累積送信回数情報を更新し、前記第１の端末識別情報を含む前記送信データ信号を受信した時の前記時計手段が出力している時刻から前記送信開始時刻記憶手段に記憶された前記第１の送信開始時刻を引いた時間を前記送信開始時刻記憶手段に記憶されている前記第１の累積送信時間情報で示される累積送信時間に加えた新たな累積送信時間を示す情報で前記送信開始時刻記憶手段に記憶された前記第１の累積送信時間情報を更新し、更新された前記第１の累積送信時間情報で示される累積送信時間を、更新された前記第１の累積送信回数情報で示される累積送信回数で除した平均送信時間以上の時間を、前記送信開始時刻記憶手段に記憶されている前記第１の送信開始時刻情報で示される時刻に加えた時刻を示す情報を前記第２の次回送信開始時刻情報として前記送信開始時刻記憶手段に記憶する送信開始時刻時間更新ステップと、
前記送信開始時刻記憶手段に記憶された前記第１の次回送信開始時刻情報と前記第１の端末識別情報とを含む第１の通知信号を前記データ収集装置から送信するとともに、前記送信開始時刻記憶手段に記憶された前記第２の次回送信開始時刻情報と前記第２の端末識別情報とを含む第２の通知信号を前記データ収集装置から送信するステップ、および、前記送信開始時刻記憶手段に記憶された前記第１の次回送信開始時刻情報と前記第１の端末識別情報とを対応付けて含めるとともに、前記送信開始時刻記憶手段に記憶された前記第２の次回送信開始時刻情報と前記第２の端末識別情報とを対応付けて含めた第３の通知信号を前記データ収集装置に送信するステップのうちのいずれかのステップからなる通知信号送信ステップと、
前記第１の端末が前記第１の通知信号を受信した場合には、該第１の通知信号に含まれる前記第１の次回送信開始時刻情報を前記第１の端末に設けられた第１の送信開始時刻記憶手段に記憶し、一方、前記第１の端末が前記第３の通知信号を受信した場合には、前記第３の通知信号に前記第１の端末識別情報と対応付けられて含まれる前記第１の次回送信開始時刻情報を前記第１の送信開始時刻記憶手段に記憶する第１の送信開始時刻記憶ステップと、
前記第１の端末が前記第１の送信開始時刻記憶手段に記憶された前記第１の次回送信開始時刻情報で示される時刻が到来したことを検出した時に、前記第１の端末に設けられた第１の送信データ記憶手段に記憶されているデータと前記第１の端末識別情報とを含む前記送信データ信号を前記データ収集装置に送信する第１のデータ送信ステップと、
前記第２の端末が前記第２の通知信号を受信した場合には、該第２の通知信号に含まれる前記第２の次回送信開始時刻情報を前記第２の端末に設けられた第２の送信開始時刻記憶手段に記憶し、一方、前記第２の端末が前記第３の通知信号を受信した場合には、前記第３の通知信号に前記第２の端末識別情報と対応付けられて含まれる前記第２の次回送信開始時刻情報を前記第２の送信開始時刻記憶手段に記憶する第２の送信開始時刻記憶ステップと、
前記第２の端末が前記第２の送信開始時刻記憶手段に記憶された前記第２の次回送信開始時刻情報で示される時刻が到来したことを検出した時に、前記第２の端末に設けられた第２の送信データ記憶手段に記憶されているデータと前記第２の端末識別情報とを含む前記送信データ信号を前記データ収集装置に送信する第２のデータ送信ステップと
を含むことを特徴とするデータ収集方法。
【発明の詳細な説明】
【技術分野】
【０００１】
本発明は、データ収集システムおよびデータ収集方法に関する。
【背景技術】
【０００２】
多数の端末装置からのデータをサーバ等のデータ収集装置に収集するデータ収集システムにおいて、データ収集装置の負荷軽減のために、データ収集装置に複数の端末から同時にデータが送信されるのを避けることが求められている。
【０００３】
特許文献１には、センタ１０が、各端末装置３０に配信するデータ量に応じて、複数種類の遅延時間の１つを指定する分散情報と指定通信時間とを各端末装置３０に予め送信しておき、各端末装置３０は自身に送信されてきた分散情報に基づいて決定される遅延時間分だけ、指定通信時間から遅い時間にセンタ１０とのデータの授受を行うことにより、センタ１０が複数の端末装置３０と同時にデータ授受を行うことを避ける技術が開示されている。
【０００４】
また、関連技術として、特許文献２には、無線端末１が、混雑度の低い（例えば、呼損率が低く、スループットが高い）時間帯を選択して、通信を行う技術が開示されている。
【０００５】
また、特許文献３には、ＰＨＳ電話機能および携帯電話機能を有する移動端末装置１０の一方の電話機能を用いて一般電話器１９と通話中に、その通話品質が低下した場合、無線通信網および自装置１０を他方の電話機能に切替える技術が開示されている。
【先行技術文献】
【特許文献】
【０００６】
【特許文献１】特開平８−０１８５８１号公報
【特許文献２】特開２０１３−２１４８７３号公報
【特許文献３】特開２００１−１２８２４０号公報
【発明の概要】
【発明が解決しようとする課題】
【０００７】
しかしながら、特許文献１に記載された技術には、配信するデータ量が予め分かっていないと、データの授受の時刻を分散させるための端末毎の遅延時間を決定できないという問題点がある。
【０００８】
なお、特許文献２および３に記載された技術には、データ収集装置等で同時に多数のデータが受信されることを回避する技術については何ら記載されていない。
【０００９】
本発明の目的は、上述した問題点を解決したデータ収集システムおよびデータ収集方法を提供することにある。
【課題を解決するための手段】
【００１０】
本発明の第１のデータ収集システムは、
それぞれ第１および第２の端末識別情報が割り当てられた第１および第２の端末と、
前記第１および第２の端末から送信データ信号を受信するデータ収集装置と
を含み、
前記データ収集装置は、
現在の時刻を出力する時計手段と、
前記第１の端末識別情報と第１の次回遅延時間情報とを対応づけて記憶するとともに、前記第２の端末識別情報と第２の次回遅延時間情報とを対応付けて記憶した遅延時間記憶手段と、
装置制御手段と
を含み、
前記装置制御手段は、
前記第１の端末識別情報を含む前記送信データ信号の受信を完了した時に前記時計手段が出力している時刻から該送信データ信号に含まれる第１の送信開始時刻情報で示される第１の送信開始時刻を引いた時間以上の時間に、前記遅延時間記憶手段に記憶されている前記第１の次回遅延時間情報で示される時間を加えた時間を示す情報を前記第２の次回遅延時間情報として前記遅延時間記憶手段に記憶する遅延時間更新処理と、
前記遅延時間記憶手段に記憶された前記第１の次回遅延時間情報と前記第１の端末識別情報とを含む第１の通知信号を送信するとともに、前記遅延時間記憶手段に記憶された前記第２の次回遅延時間情報と前記第２の端末識別情報とを含む第２の通知信号を送信する処理、および、前記遅延時間記憶手段に記憶された前記第１の次回遅延時間情報と前記第１の端末識別情報とを対応付けて含めるとともに、前記遅延時間記憶手段に記憶された前記第２の次回遅延時間情報と前記第２の端末識別情報とを対応付けて含めた第３の通知信号を送信する処理のうちのいずれかの処理からなる通知信号送信処理と
を実行し、
前記第１の端末は、
第１の端末制御手段と、
データ収集開始時刻を示すデータ収集開始時刻情報を記憶した第１のデータ収集開始時刻記憶手段と、
第１の送信開始時刻記憶手段と、
第１の送信データ記憶手段と、
第１の時刻監視手段と
を含み、
前記第１の端末制御手段は、
前記第１の通知信号を受信した場合には、前記第１のデータ収集開始時刻記憶手段に記憶された前記データ収集開始時刻情報で示される前記データ収集開始時刻に、前記第１の通知信号に含まれる前記第１の次回遅延時間情報で示される時間を加えた前記第１の送信開始時刻を示す前記第１の送信開始時刻情報を前記第１の送信開始時刻記憶手段に記憶し、一方、前記第３の通知信号を受信した場合には、前記第１のデータ収集開始時刻記憶手段に記憶された前記データ収集開始時刻情報で示される前記データ収集開始時刻に、前記第３の通知信号に前記第１の端末識別情報と対応付けられて含まれる前記第１の次回遅延時間情報で示される時間を加えた前記第１の送信開始時刻を示す前記第１の送信開始時刻情報を前記第１の送信開始時刻記憶手段に記憶する第１の送信開始時刻記憶処理と、
前記第１の時刻監視手段が前記第１の送信開始時刻記憶手段に記憶された前記第１の送信開始時刻情報で示される時刻が到来したことを検出した時に、前記第１の送信データ記憶手段に記憶されているデータと前記第１の端末識別情報と前記第１の送信開始時刻情報とを含む前記送信データ信号を前記データ収集装置に送信する第１のデータ送信処理と
を実行し、
前記第２の端末は、
第２の端末制御手段と、
前記データ収集開始時刻情報を記憶した第２のデータ収集開始時刻記憶手段と、
第２の送信開始時刻記憶手段と、
第２の送信データ記憶手段と、
第２の時刻監視手段と
を含み、
前記第２の端末制御手段は、
前記第２の通知信号を受信した場合には、前記第２のデータ収集開始時刻記憶手段に記憶された前記データ収集開始時刻情報で示される前記データ収集開始時刻に、前記第２の通知信号に含まれる前記第２の次回遅延時間情報で示される時間を加えた第２の送信開始時刻を示す第２の送信開始時刻情報を前記第２の送信開始時刻記憶手段に記憶し、一方、前記第３の通知信号を受信した場合には、前記第２のデータ収集開始時刻記憶手段に記憶された前記データ収集開始時刻情報で示される前記データ収集開始時刻に、前記第３の通知信号に前記第２の端末識別情報と対応付けられて含まれる前記第２の次回遅延時間情報で示される時間を加えた第２の送信開始時刻を示す第２の送信開始時刻情報を前記第２の送信開始時刻記憶手段に記憶する第２の送信開始時刻記憶処理と、
前記第２の時刻監視手段が前記第２の送信開始時刻記憶手段に記憶された前記第２の送信開始時刻情報で示される時刻が到来したことを検出した時に、前記第２の送信データ記憶手段に記憶されているデータと前記第２の端末識別情報と前記第２の送信開始時刻情報とを含む前記送信データ信号を前記データ収集装置に送信する第２のデータ送信処理と
を実行する。
【００１１】
また、本発明の第２のデータ収集システムは、
それぞれ第１および第２の端末識別情報が割り当てられた第１および第２の端末と、
前記第１および第２の端末から送信データ信号を受信するデータ収集装置と
を含み、
前記データ収集装置は、
現在の時刻を出力する時計手段と、
データ収集開始時刻を示すデータ収集開始時刻情報を記憶し、且つ、前記第１の端末識別情報と第１の次回遅延時間情報とを対応づけて記憶し、且つ、前記第２の端末識別情報と第２の次回遅延時間情報とを対応付けて記憶した遅延時間記憶手段と、
装置制御手段と
を含み、
前記装置制御手段は、
前記第１の端末識別情報を含む前記送信データ信号の受信を完了した時に前記時計手段が出力している時刻から、前記遅延時間記憶手段に記憶されている前記データ収集開始時刻情報で示される前記データ収集開始時刻に前記遅延時間記憶手段に記憶されている前記第１の次回遅延時間情報で示される時間を加えた時刻を引いた時間以上の時間に、前記遅延時間記憶手段に記憶されている前記第１の次回遅延時間情報で示される時間を加えた時間を示す情報を前記第２の次回遅延時間情報として前記遅延時間記憶手段に記憶する遅延時間更新処理と、
前記遅延時間記憶手段に記憶された前記第１の次回遅延時間情報と前記第１の端末識別情報とを含む第１の通知信号を送信するとともに、前記遅延時間記憶手段に記憶された前記第２の次回遅延時間情報と前記第２の端末識別情報とを含む第２の通知信号を送信する処理、および、前記遅延時間記憶手段に記憶された前記第１の次回遅延時間情報と前記第１の端末識別情報とを対応付けて含めるとともに、前記遅延時間記憶手段に記憶された前記第２の次回遅延時間情報と前記第２の端末識別情報とを対応付けて含めた第３の通知信号を送信する処理のうちのいずれかの処理からなる通知信号送信処理と
を実行し、
前記第１の端末は、
第１の端末制御手段と、
前記データ収集開始時刻情報を記憶した第１のデータ収集開始時刻記憶手段と、
第１の送信開始時刻記憶手段と、
第１の送信データ記憶手段と、
第１の時刻監視手段と
を含み、
前記第１の端末制御手段は、
前記第１の通知信号を受信した場合には、前記第１のデータ収集開始時刻記憶手段に記憶された前記データ収集開始時刻情報で示される前記データ収集開始時刻に、前記第１の通知信号に含まれる前記第１の次回遅延時間情報で示される時間を加えた前記第１の送信開始時刻を示す前記第１の送信開始時刻情報を前記第１の送信開始時刻記憶手段に記憶し、一方、前記第３の通知信号を受信した場合には、前記第３の通知信号に前記第１の端末識別情報と対応付けられて含まれる前記第１の次回遅延時間情報で示される時間を加えた前記第１の送信開始時刻を示す前記第１の送信開始時刻情報を前記第１の送信開始時刻記憶手段に記憶する第１の送信開始時刻記憶処理と、
前記第１の時刻監視手段が前記第１の送信開始時刻記憶手段に記憶された前記第１の送信開始時刻情報で示される時刻が到来したことを検出した時に、前記第１の送信データ記憶手段に記憶されているデータと前記第１の端末識別情報とを含む前記送信データ信号を前記データ収集装置に送信する第１のデータ送信処理と
を実行し、
前記第２の端末は、
第２の端末制御手段と、
前記データ収集開始時刻情報を記憶した第２のデータ収集開始時刻記憶手段と、
第２の送信開始時刻記憶手段と、
第２の送信データ記憶手段と、
第２の時刻監視手段と
を含み、
前記第２の端末制御手段は、
前記第２の通知信号を受信した場合には、前記第２のデータ収集開始時刻記憶手段に記憶された前記データ収集開始時刻情報で示される前記データ収集開始時刻に、前記第２の通知信号に含まれる前記第２の次回遅延時間情報で示される時間を加えた第２の送信開始時刻を示す第２の送信開始時刻情報を前記第２の送信開始時刻記憶手段に記憶し、一方、前記第３の通知信号を受信した場合には、前記第２のデータ収集開始時刻記憶手段に記憶された前記データ収集開始時刻情報で示される前記データ収集開始時刻に、前記第３の通知信号に前記第２の端末識別情報と対応付けられて含まれる前記第２の次回遅延時間情報で示される時間を加えた第２の送信開始時刻を示す第２の送信開始時刻情報を前記第２の送信開始時刻記憶手段に記憶する第２の送信開始時刻記憶処理と、
前記第２の時刻監視手段が前記第２の送信開始時刻記憶手段に記憶された前記第２の送信開始時刻情報で示される時刻が到来したことを検出した時に、前記第２の送信データ記憶手段に記憶されているデータと前記第２の端末識別情報とを含む前記送信データ信号を前記データ収集装置に送信する第２のデータ送信処理と
を実行する。
【００１２】
また、本発明の第３のデータ収集システムは、
それぞれ第１および第２の端末識別情報が割り当てられた第１および第２の端末と、
前記第１および第２の端末から送信データ信号を受信するデータ収集装置と
を含み、
前記データ収集装置は、
現在の時刻を出力する時計手段と、
前記第１の端末識別情報と第１の次回送信開始時刻情報とを対応づけて記憶するとともに、前記第２の端末識別情報と第２の次回送信開始時刻情報とを対応付けて記憶した送信開始時刻記憶手段と、
装置制御手段と
を含み、
前記装置制御手段は、
前記第１の端末識別情報を含む前記送信データ信号の受信を完了した時に前記時計手段が出力している時刻から前記送信開始時刻記憶手段に記憶された前記第１の次回送信開始時刻情報で示される第１の送信開始時刻を引いた時間以上の時間を、前記送信開始時刻記憶手段に記憶されている前記第１の次回送信開始時刻情報で示される時刻に加えた時刻を示す情報を前記第２の次回送信開始時刻情報として前記送信開始時刻記憶手段に記憶する送信開始時刻更新処理と、
前記送信開始時刻記憶手段に記憶された前記第１の次回送信開始時刻情報と前記第１の端末識別情報とを含む第１の通知信号を送信するとともに、前記送信開始時刻記憶手段に記憶された前記第２の次回送信開始時刻情報と前記第２の端末識別情報とを含む第２の通知信号を送信する処理、および、前記送信開始時刻記憶手段に記憶された前記第１の次回送信開始時刻情報と前記第１の端末識別情報とを対応付けて含めるとともに、前記送信開始時刻記憶手段に記憶された前記第２の次回送信開始時刻情報と前記第２の端末識別情報とを対応付けて含めた第３の通知信号を送信する処理のうちのいずれかの処理からなる通知信号送信処理と
を実行し、
前記第１の端末は、
第１の端末制御手段と、
第１の送信開始時刻記憶手段と、
第１の送信データ記憶手段と、
第１の時刻監視手段と
を含み、
前記第１の端末制御手段は、
前記第１の通知信号を受信した場合には、該第１の通知信号に含まれる前記第１の次回送信開始時刻情報を前記第１の送信開始時刻記憶手段に記憶し、一方、前記第３の通知信号を受信した場合には、前記第３の通知信号に前記第１の端末識別情報と対応付けられて含まれる前記第１の次回送信開始時刻情報を前記第１の送信開始時刻記憶手段に記憶する第１の送信開始時刻記憶処理と、
前記第１の時刻監視手段が前記第１の送信開始時刻記憶手段に記憶された前記第１の次回送信開始時刻情報で示される時刻が到来したことを検出した時に、前記第１の送信データ記憶手段に記憶されているデータと前記第１の端末識別情報とを含む前記送信データ信号を前記データ収集装置に送信する第１のデータ送信処理と
を実行し、
前記第２の端末は、
第２の端末制御手段と、
第２の送信開始時刻記憶手段と、
第２の送信データ記憶手段と、
第２の時刻監視手段と
を含み、
前記第２の端末制御手段は、
前記第２の通知信号を受信した場合には、該第２の通知信号に含まれる前記第２の次回送信開始時刻情報を前記第２の送信開始時刻記憶手段に記憶し、一方、前記第３の通知信号を受信した場合には、前記第３の通知信号に前記第２の端末識別情報と対応付けられて含まれる前記第２の次回送信開始時刻情報を前記第２の送信開始時刻記憶手段に記憶する第２の送信開始時刻記憶処理と、
前記第２の時刻監視手段が前記第２の送信開始時刻記憶手段に記憶された前記第２の次回送信開始時刻情報で示される時刻が到来したことを検出した時に、前記第２の送信データ記憶手段に記憶されているデータと前記第２の端末識別情報とを含む前記送信データ信号を前記データ収集装置に送信する第２のデータ送信処理と
を実行する。
【００１３】
また、本発明の第４のデータ収集システムは、
それぞれ第１および第２の端末識別情報が割り当てられた第１および第２の端末と、
前記第１および第２の端末から送信データ信号を受信するデータ収集装置と
を含み、
前記データ収集装置は、
現在の時刻を出力する時計手段と、
前記第１の端末識別情報と過去の前記第１の端末から前記データ収集装置への前記送信データ信号の送信回数を示す第１の累積送信回数情報と過去の前記第１の端末から前記データ収集装置への前記送信データ信号の送信時間を累積した累積送信時間を示す第１の累積送信時間情報と第１の次回遅延時間情報とを対応づけて記憶するとともに、前記第２の端末識別情報と過去の前記第２の端末から前記データ収集装置への前記送信データ信号の送信回数を示す第２の累積送信回数情報と過去の前記第２の端末から前記データ収集装置への前記送信データ信号の送信時間を累積した累積送信時間を示す第２の累積送信時間情報と第２の次回遅延時間情報とを対応付けて記憶した遅延時間記憶手段と、
装置制御手段と
を含み、
前記装置制御手段は、
前記第１の端末識別情報を含む前記送信データ信号を受信したときに、前記遅延時間記憶手段に記憶されている前記第１の累積送信回数情報で示される送信回数に１を加えた新たな送信回数を示す情報で前記遅延時間記憶手段に記憶された前記第１の累積送信回数情報を更新し、前記第１の端末識別情報を含む前記送信データ信号を受信した時の前記時計手段が出力している時刻から該送信データ信号に含まれる第１の送信開始時刻情報で示される第１の送信開始時刻を引いた時間を前記遅延時間記憶手段に記憶されている前記第１の累積送信時間情報で示される累積送信時間に加えた新たな累積送信時間を示す情報で前記遅延時間記憶手段に記憶された前記第１の累積送信時間情報を更新し、更新された前記第１の累積送信時間情報で示される累積送信時間を、更新された前記第１の累積送信回数情報で示される累積送信回数で除した平均送信時間以上の時間に、前記遅延時間記憶手段に記憶されている前記第１の次回遅延時間情報で示される時間を加えた時間を示す情報を前記第２の次回遅延時間情報として前記遅延時間記憶手段に記憶する遅延時間更新処理と、
前記遅延時間記憶手段に記憶された前記第１の次回遅延時間情報と前記第１の端末識別情報とを含む第１の通知信号を送信するとともに、前記遅延時間記憶手段に記憶された前記第２の次回遅延時間情報と前記第２の端末識別情報とを含む第２の通知信号を送信する処理、および、前記遅延時間記憶手段に記憶された前記第１の次回遅延時間情報と前記第１の端末識別情報とを対応付けて含めるとともに、前記遅延時間記憶手段に記憶された前記第２の次回遅延時間情報と前記第２の端末識別情報とを対応付けて含めた第３の通知信号を送信する処理のうちのいずれかの処理からなる通知信号送信処理と
を実行し、
前記第１の端末は、
第１の端末制御手段と、
データ収集開始時刻を示すデータ収集開始時刻情報を記憶した第１のデータ収集開始時刻記憶手段と、
第１の送信開始時刻記憶手段と、
第１の送信データ記憶手段と、
第１の時刻監視手段と
を含み、
前記第１の端末制御手段は、
前記第１の通知信号を受信した場合には、前記第１のデータ収集開始時刻記憶手段に記憶された前記データ収集開始時刻情報で示される前記データ収集開始時刻に、前記第１の通知信号に含まれる前記第１の次回遅延時間情報で示される時間を加えた第１の送信開始時刻を示す第１の送信開始時刻情報を前記第１の送信開始時刻記憶手段に記憶し、一方、前記第３の通知信号を受信した場合には、前記第１のデータ収集開始時刻記憶手段に記憶された前記データ収集開始時刻情報で示される前記データ収集開始時刻に、前記第３の通知信号に前記第１の端末識別情報と対応付けられて含まれる前記第１の次回遅延時間情報で示される時間を加えた前記第１の送信開始時刻を示す前記第１の送信開始時刻情報を前記第１の送信開始時刻記憶手段に記憶する第１の送信開始時刻記憶処理と、
前記第１の時刻監視手段が前記第１の送信開始時刻記憶手段に記憶された前記第１の送信開始時刻情報で示される時刻が到来したことを検出した時に、前記第１の送信データ記憶手段に記憶されているデータと前記第１の端末識別情報と前記第１の送信開始時刻情報とを含む前記送信データ信号を前記データ収集装置に送信する第１のデータ送信処理と
を実行し、
前記第２の端末は、
第２の端末制御手段と、
前記データ収集開始時刻情報を記憶した第２のデータ収集開始時刻記憶手段と、
第２の送信開始時刻記憶手段と、
第２の送信データ記憶手段と、
第２の時刻監視手段と
を含み、
前記第２の端末制御手段は、
前記第２の通知信号を受信した場合には、前記第２のデータ収集開始時刻記憶手段に記憶された前記データ収集開始時刻情報で示される前記データ収集開始時刻に、前記第２の通知信号に含まれる前記第２の次回遅延時間情報で示される時間を加えた第２の送信開始時刻を示す第２の送信開始時刻情報を前記第２の送信開始時刻記憶手段に記憶し、一方、前記第３の通知信号を受信した場合には、前記第２のデータ収集開始時刻記憶手段に記憶された前記データ収集開始時刻情報で示される前記データ収集開始時刻に、前記第３の通知信号に前記第２の端末識別情報と対応付けられて含まれる前記第２の次回遅延時間情報で示される時間を加えた第２の送信開始時刻を示す第２の送信開始時刻情報を前記第２の送信開始時刻記憶手段に記憶する第２の送信開始時刻記憶処理と、
前記第２の時刻監視手段が前記第２の送信開始時刻記憶手段に記憶された前記第２の送信開始時刻情報で示される時刻が到来したことを検出した時に、前記第２の送信データ記憶手段に記憶されているデータと前記第２の端末識別情報と前記第２の送信開始時刻情報とを含む前記送信データ信号を前記データ収集装置に送信する第２のデータ送信処理と
を実行する。
【００１４】
また、本発明の第５のデータ収集システムは、
それぞれ第１および第２の端末識別情報が割り当てられた第１および第２の端末と、
前記第１および第２の端末から送信データ信号を受信するデータ収集装置と
を含み、
前記データ収集装置は、
現在の時刻を出力する時計手段と、
データ収集開始時刻を示すデータ収集開始時刻情報を記憶し、且つ、前記第１の端末識別情報と過去の前記第１の端末から前記データ収集装置への前記送信データ信号の送信回数を示す第１の累積送信回数情報と過去の前記第１の端末から前記データ収集装置への前記送信データ信号の送信時間を累積した累積送信時間を示す第１の累積送信時間情報と第１の次回遅延時間情報とを対応づけて記憶するとともに、前記第２の端末識別情報と過去の前記第２の端末から前記データ収集装置への前記送信データ信号の送信回数を示す第２の累積送信回数情報と過去の前記第２の端末から前記データ収集装置への前記送信データ信号の送信時間を累積した累積送信時間を示す第２の累積送信時間情報と第２の次回遅延時間情報とを対応付けて記憶した遅延時間記憶手段と、
装置制御手段と
を含み、
前記装置制御手段は、
前記第１の端末識別情報を含む前記送信データ信号を受信したときに、前記遅延時間記憶手段に記憶されている前記第１の累積送信回数情報で示される送信回数に１を加えた新たな送信回数を示す情報で前記遅延時間記憶手段に記憶された前記第１の累積送信回数情報を更新し、前記第１の端末識別情報を含む前記送信データ信号を受信した時の前記時計手段が出力している時刻から、前記遅延時間記憶手段に記憶されている前記データ収集開始時刻情報で示される前記データ収集開始時刻に前記遅延時間記憶手段に記憶されている前記第１の次回遅延時間情報で示される時間を加えた時刻を引いた時間を前記遅延時間記憶手段に記憶されている前記第１の累積送信時間情報で示される累積送信時間に加えた新たな累積送信時間を示す情報で前記遅延時間記憶手段に記憶された前記第１の累積送信時間情報を更新し、更新された前記第１の累積送信時間情報で示される累積送信時間を、更新された前記第１の累積送信回数情報で示される累積送信回数で除した平均送信時間以上の時間に、前記遅延時間記憶手段に記憶されている前記第１の次回遅延時間情報で示される時間を加えた時間を示す情報を前記第２の次回遅延時間情報として前記遅延時間記憶手段に記憶する遅延時間更新処理と、
前記遅延時間記憶手段に記憶された前記第１の次回遅延時間情報と前記第１の端末識別情報とを含む第１の通知信号を送信するとともに、前記遅延時間記憶手段に記憶された前記第２の次回遅延時間情報と前記第２の端末識別情報とを含む第２の通知信号を送信する処理、および、前記遅延時間記憶手段に記憶された前記第１の次回遅延時間情報と前記第１の端末識別情報とを対応付けて含めるとともに、前記遅延時間記憶手段に記憶された前記第２の次回遅延時間情報と前記第２の端末識別情報とを対応付けて含めた第３の通知信号を送信する処理のうちのいずれかの処理からなる通知信号送信処理と
を実行し、
前記第１の端末は、
第１の端末制御手段と、
データ収集開始時刻を示すデータ収集開始時刻情報を記憶した第１のデータ収集開始時刻記憶手段と、
第１の送信開始時刻記憶手段と、
第１の送信データ記憶手段と、
第１の時刻監視手段と
を含み、
前記第１の端末制御手段は、
前記第１の通知信号を受信した場合には、前記第１のデータ収集開始時刻記憶手段に記憶された前記データ収集開始時刻情報で示される前記データ収集開始時刻に、前記第１の通知信号に含まれる前記第１の次回遅延時間情報で示される時間を加えた第１の送信開始時刻を示す第１の送信開始時刻情報を前記第１の送信開始時刻記憶手段に記憶し、一方、前記第３の通知信号を受信した場合には、前記第１のデータ収集開始時刻記憶手段に記憶された前記データ収集開始時刻情報で示される前記データ収集開始時刻に、前記第３の通知信号に前記第１の端末識別情報と対応付けられて含まれる前記第１の次回遅延時間情報で示される時間を加えた前記第１の送信開始時刻を示す前記第１の送信開始時刻情報を前記第１の送信開始時刻記憶手段に記憶する第１の送信開始時刻記憶処理と、
前記第１の時刻監視手段が前記第１の送信開始時刻記憶手段に記憶された前記第１の送信開始時刻情報で示される時刻が到来したことを検出した時に、前記第１の送信データ記憶手段に記憶されているデータと前記第１の端末識別情報とを含む前記送信データ信号を前記データ収集装置に送信する第１のデータ送信処理とを実行し、
前記第２の端末は、
第２の端末制御手段と、
前記データ収集開始時刻情報を記憶した第２のデータ収集開始時刻記憶手段と、
第２の送信開始時刻記憶手段と、
第２の送信データ記憶手段と、
第２の時刻監視手段と
を含み、
前記第２の端末制御手段は、
前記第２の通知信号を受信した場合には、前記第２のデータ収集開始時刻記憶手段に記憶された前記データ収集開始時刻情報で示される前記データ収集開始時刻に、前記第２の通知信号に含まれる前記第２の次回遅延時間情報で示される時間を加えた第２の送信開始時刻を示す第２の送信開始時刻情報を前記第２の送信開始時刻記憶手段に記憶し、一方、前記第３の通知信号を受信した場合には、前記第２のデータ収集開始時刻記憶手段に記憶された前記データ収集開始時刻情報で示される前記データ収集開始時刻に、前記第３の通知信号に前記第２の端末識別情報と対応付けられて含まれる前記第２の次回遅延時間情報で示される時間を加えた第２の送信開始時刻を示す第２の送信開始時刻情報を前記第２の送信開始時刻記憶手段に記憶する第２の送信開始時刻記憶処理と、
前記第２の時刻監視手段が前記第２の送信開始時刻記憶手段に記憶された前記第２の送信開始時刻情報で示される時刻が到来したことを検出した時に、前記第２の送信データ記憶手段に記憶されているデータと前記第２の端末識別情報とを含む前記送信データ信号を前記データ収集装置に送信する第２のデータ送信処理と
を実行する。
【００１５】
また、本発明の第６のデータ収集システムは、
それぞれ第１および第２の端末識別情報が割り当てられた第１および第２の端末と、
前記第１および第２の端末から送信データ信号を受信するデータ収集装置と
を含み、
前記データ収集装置は、
現在の時刻を出力する時計手段と、
前記第１の端末識別情報と過去の前記第１の端末から前記データ収集装置への前記送信データ信号の送信回数を示す第１の累積送信回数情報と過去の前記第１の端末から前記データ収集装置への前記送信データ信号の送信時間を累積した累積送信時間を示す第１の累積送信時間情報と第１の次回送信開始時刻情報とを対応づけて記憶するとともに、前記第２の端末識別情報と過去の前記第２の端末から前記データ収集装置への前記送信データ信号の送信回数を示す第２の累積送信回数情報と過去の前記第２の端末から前記データ収集装置への前記送信データ信号の送信時間を累積した累積送信時間を示す第２の累積送信時間情報と第２の次回送信開始時刻情報とを対応付けて記憶した送信開始時刻記憶手段と、
装置制御手段と
を含み、
前記装置制御手段は、
前記第１の端末識別情報を含む前記送信データ信号を受信したときに、前記送信開始時刻記憶手段に記憶されている前記第１の累積送信回数情報で示される送信回数に１を加えた新たな送信回数を示す情報で前記送信開始時刻記憶手段に記憶された前記第１の累積送信回数情報を更新し、前記第１の端末識別情報を含む前記送信データ信号を受信した時の前記時計手段が出力している時刻から前記送信開始時刻記憶手段に記憶された前記第１の送信開始時刻を引いた時間を前記送信開始時刻記憶手段に記憶されている前記第１の累積送信時間情報で示される累積送信時間に加えた新たな累積送信時間を示す情報で前記送信開始時刻記憶手段に記憶された前記第１の累積送信時間情報を更新し、更新された前記第１の累積送信時間情報で示される累積送信時間を、更新された前記第１の累積送信回数情報で示される累積送信回数で除した平均送信時間以上の時間を、前記送信開始時刻記憶手段に記憶されている前記第１の送信開始時刻情報で示される時刻に加えた時刻を示す情報を前記第２の次回送信開始時刻情報として前記送信開始時刻記憶手段に記憶する送信開始時刻時間更新処理と、
前記送信開始時刻記憶手段に記憶された前記第１の次回送信開始時刻情報と前記第１の端末識別情報とを含む第１の通知信号を送信するとともに、前記送信開始時刻記憶手段に記憶された前記第２の次回送信開始時刻情報と前記第２の端末識別情報とを含む第２の通知信号を送信する処理、および、前記送信開始時刻記憶手段に記憶された前記第１の次回送信開始時刻情報と前記第１の端末識別情報とを対応付けて含めるとともに、前記送信開始時刻記憶手段に記憶された前記第２の次回送信開始時刻情報と前記第２の端末識別情報とを対応付けて含めた第３の通知信号を送信する処理のうちのいずれかの処理からなる通知信号送信処理と
を実行し、
前記第１の端末は、
第１の端末制御手段と、
第１の送信開始時刻記憶手段と、
第１の送信データ記憶手段と、
第１の時刻監視手段と
を含み、
前記第１の端末制御手段は、
前記第１の通知信号を受信した場合には、該第１の通知信号に含まれる前記第１の次回送信開始時刻情報を前記第１の送信開始時刻記憶手段に記憶し、一方、前記第３の通知信号を受信した場合には、前記第３の通知信号に前記第１の端末識別情報と対応付けられて含まれる前記第１の次回送信開始時刻情報を前記第１の送信開始時刻記憶手段に記憶する第１の送信開始時刻記憶処理と、
前記第１の時刻監視手段が前記第１の送信開始時刻記憶手段に記憶された前記第１の次回送信開始時刻情報で示される時刻が到来したことを検出した時に、前記第１の送信データ記憶手段に記憶されているデータと前記第１の端末識別情報とを含む前記送信データ信号を前記データ収集装置に送信する第１のデータ送信処理と
を実行し、
前記第２の端末は、
第２の端末制御手段と、
第２の送信開始時刻記憶手段と、
第２の送信データ記憶手段と、
第２の時刻監視手段と
を含み、
前記第２の端末制御手段は、
前記第２の通知信号を受信した場合には、該第２の通知信号に含まれる前記第２の次回送信開始時刻情報を前記第２の送信開始時刻記憶手段に記憶し、一方、前記第３の通知信号を受信した場合には、前記第３の通知信号に前記第２の端末識別情報と対応付けられて含まれる前記第２の次回送信開始時刻情報を前記第２の送信開始時刻記憶手段に記憶する第２の送信開始時刻記憶処理と、
前記第２の時刻監視手段が前記第２の送信開始時刻記憶手段に記憶された前記第２の次回送信開始時刻情報で示される時刻が到来したことを検出した時に、前記第２の送信データ記憶手段に記憶されているデータと前記第２の端末識別情報とを含む前記送信データ信号を前記データ収集装置に送信する第２のデータ送信処理と
を実行する。
【００１６】
また、本発明の第１のデータ収集方法は、
第１の端末に割り当てられた第１の端末識別情報と第１の次回遅延時間情報とを対応づけて記憶するとともに、第２の端末に割り当てられた第２の端末識別情報と第２の次回遅延時間情報とを対応付けて記憶した遅延時間記憶手段を有するデータ収集装置において、前記第１の端末識別情報を含む送信データ信号の受信を完了した時刻から該送信データ信号に含まれる第１の送信開始時刻情報で示される第１の送信開始時刻を引いた時間以上の時間に、前記遅延時間記憶手段に記憶されている前記第１の次回遅延時間情報で示される時間を加えた時間を示す情報を前記第２の次回遅延時間情報として前記遅延時間記憶手段に記憶する遅延時間更新ステップと、
前記遅延時間記憶手段に記憶された前記第１の次回遅延時間情報と前記第１の端末識別情報とを含む第１の通知信号を前記データ収集装置から送信するとともに、前記遅延時間記憶手段に記憶された前記第２の次回遅延時間情報と前記第２の端末識別情報とを含む第２の通知信号を前記データ収集装置から送信するステップ、および、前記遅延時間記憶手段に記憶された前記第１の次回遅延時間情報と前記第１の端末識別情報とを対応付けて含めるとともに、前記遅延時間記憶手段に記憶された前記第２の次回遅延時間情報と前記第２の端末識別情報とを対応付けて含めた第３の通知信号を前記データ収集装置から送信するステップのうちのいずれかのステップからなる通知信号送信ステップと、
前記第１の端末が前記第１の通知信号を受信した場合には、前記第１の端末に設けられた第１のデータ収集開始時刻記憶手段に記憶されたデータ収集開始時刻情報で示されるデータ収集開始時刻に、前記第１の通知信号に含まれる前記第１の次回遅延時間情報で示される時間を加えた前記第１の送信開始時刻を示す前記第１の送信開始時刻情報を前記第１の端末に設けられた第１の送信開始時刻記憶手段に記憶し、一方、前記第１の端末が前記第３の通知信号を受信した場合には、前記第１のデータ収集開始時刻記憶手段に記憶された前記データ収集開始時刻情報で示される前記データ収集開始時刻に、前記第３の通知信号に前記第１の端末識別情報と対応付けられて含まれる前記第１の次回遅延時間情報で示される時間を加えた前記第１の送信開始時刻を示す前記第１の送信開始時刻情報を前記第１の送信開始時刻記憶手段に記憶する第１の送信開始時刻記憶ステップと、
前記第１の端末が前記第１の送信開始時刻記憶手段に記憶された前記第１の送信開始時刻情報で示される時刻が到来したことを検出した時に、前記第１の端末に設けられた第１の送信データ記憶手段に記憶されているデータと前記第１の端末識別情報と前記第１の送信開始時刻情報とを含む前記送信データ信号を前記データ収集装置に送信する第１のデータ送信ステップと
前記第２の端末が前記第２の通知信号を受信した場合には、前記第２の端末に設けられた第２のデータ収集開始時刻記憶手段に記憶された前記データ収集開始時刻情報で示される前記データ収集開始時刻に、前記第２の通知信号に含まれる前記第２の次回遅延時間情報で示される時間を加えた第２の送信開始時刻を示す第２の送信開始時刻情報を前記第２の端末に設けられた第２の送信開始時刻記憶手段に記憶し、一方、前記第２の端末が前記第３の通知信号を受信した場合には、前記第２のデータ収集開始時刻記憶手段に記憶された前記データ収集開始時刻情報で示される前記データ収集開始時刻に、前記第３の通知信号に前記第２の端末識別情報と対応付けられて含まれる前記第２の次回遅延時間情報で示される時間を加えた前記第２の送信開始時刻を示す前記第２の送信開始時刻情報を前記第２の送信開始時刻記憶手段に記憶する第２の送信開始時刻記憶ステップと、
前記第２の端末が前記第２の送信開始時刻記憶手段に記憶された前記第２の送信開始時刻情報で示される時刻が到来したことを検出した時に、前記第２の端末に設けられた第２の送信データ記憶手段に記憶されているデータと前記第２の端末識別情報と前記第２の送信開始時刻情報とを含む前記送信データ信号を前記データ収集装置に送信する第２のデータ送信ステップと
を含む。
【００１７】
また、本発明の第２のデータ収集方法は、
第１の端末に割り当てられた第１の端末識別情報と第１の次回送信開始時刻情報とを対応づけて記憶するとともに、第２の端末に割り当てられた第２の端末識別情報と第２の次回送信開始時刻情報とを対応付けて記憶する送信開始時刻記憶手段を含むデータ収集装置において、前記第１の端末識別情報を含む送信データ信号の受信を完了した時の時刻から、前記送信開始時刻記憶手段に記憶された前記第１の次回送信開始時刻情報で示される第１の送信開始時刻を引いた時間以上の時間を、前記送信開始時刻記憶手段に記憶されている前記第１の次回送信開始時刻情報で示される時刻に加えた時刻を示す情報を前記第２の次回送信開始時刻情報として前記送信開始時刻記憶手段に記憶する送信開始時刻更新ステップと、
前記送信開始時刻記憶手段に記憶された前記第１の次回送信開始時刻情報と前記第１の端末識別情報とを含む第１の通知信号を前記データ収集装置から送信するとともに、前記送信開始時刻記憶手段に記憶された前記第２の次回送信開始時刻情報と前記第２の端末識別情報とを含む第２の通知信号を前記データ収集装置から送信するステップ、および、前記送信開始時刻記憶手段に記憶された前記第１の次回送信開始時刻情報と前記第１の端末識別情報とを対応付けて含めるとともに、前記送信開始時刻記憶手段に記憶された前記第２の次回送信開始時刻情報と前記第２の端末識別情報とを対応付けて含めた第３の通知信号を前記データ収集装置から送信するステップのうちのいずれかのステップからなる通知信号送信ステップと、
前記第１の端末が前記第１の通知信号を受信した場合には、該第１の通知信号に含まれる前記第１の次回送信開始時刻情報を前記第１の端末に設けられた第１の送信開始時刻記憶手段に記憶し、一方、前記第１の端末が前記第３の通知信号を受信した場合には、前記第３の通知信号に前記第１の端末識別情報と対応付けられて含まれる前記第１の次回送信開始時刻情報を前記第１の送信開始時刻記憶手段に記憶する第１の送信開始時刻記憶ステップと、
前記第１の端末が前記第１の送信開始時刻記憶手段に記憶された前記第１の次回送信開始時刻情報で示される時刻が到来したことを検出した時に、前記第１の端末に設けられた第１の送信データ記憶手段に記憶されているデータと前記第１の端末識別情報とを含む前記送信データ信号を前記データ収集装置に送信する第１のデータ送信ステップと、
前記第２の端末が前記第２の通知信号を受信した場合には、該第２の通知信号に含まれる前記第２の次回送信開始時刻情報を前記第２の端末に設けられた第２の送信開始時刻記憶手段に記憶し、一方、前記第２の端末が前記第３の通知信号を受信した場合には、前記第３の通知信号に前記第２の端末識別情報と対応付けられて含まれる前記第２の次回送信開始時刻情報を前記第２の送信開始時刻記憶手段に記憶する第２の送信開始時刻記憶ステップと、
前記第２の端末が前記第２の送信開始時刻記憶手段に記憶された前記第２の次回送信開始時刻情報で示される時刻が到来したことを検出した時に、前記第２の端末に設けられた第２の送信データ記憶手段に記憶されているデータと前記第２の端末識別情報とを含む前記送信データ信号を前記データ収集装置に送信する第２のデータ送信ステップと
を含む。
【００１８】
また、本発明の第３のデータ収集方法は、
第１の端末に割り当てられた第１の端末識別情報と過去の前記第１の端末からデータ収集装置への送信データ信号の送信回数を示す第１の累積送信回数情報と過去の前記第１の端末から前記データ収集装置への前記送信データ信号の送信時間を累積した累積送信時間を示す第１の累積送信時間情報と第１の次回遅延時間情報とを対応づけて記憶するとともに、第２の端末に割り当てられた第２の端末識別情報と過去の前記第２の端末から前記データ収集装置への前記送信データ信号の送信回数を示す第２の累積送信回数情報と過去の前記第２の端末から前記データ収集装置への前記送信データ信号の送信時間を累積した累積送信時間を示す第２の累積送信時間情報と第２の次回遅延時間情報とを対応付けて記憶した遅延時間記憶手段を含む前記データ取集装置において、前記第１の端末識別情報を含む前記送信データ信号を受信したときに、前記遅延時間記憶手段に記憶されている前記第１の累積送信回数情報で示される送信回数に１を加えた新たな送信回数を示す情報で前記遅延時間記憶手段に記憶された前記第１の累積送信回数情報を更新し、前記第１の端末識別情報を含む前記送信データ信号を受信した時刻から該送信データ信号に含まれる第１の送信開始時刻情報で示される第１の送信開始時刻を引いた時間を前記遅延時間記憶手段に記憶されている前記第１の累積送信時間情報で示される累積送信時間に加えた新たな累積送信時間を示す情報で前記遅延時間記憶手段に記憶された前記第１の累積送信時間情報を更新し、更新された前記第１の累積送信時間情報で示される累積送信時間を、更新された前記第１の累積送信回数情報で示される累積送信回数で除した平均送信時間以上の時間に、前記遅延時間記憶手段に記憶されている前記第１の次回遅延時間情報で示される時間を加えた時間を示す情報を前記第２の次回遅延時間情報として前記遅延時間記憶手段に記憶する遅延時間更新ステップと、
前記遅延時間記憶手段に記憶された前記第１の次回遅延時間情報と前記第１の端末識別情報とを含む第１の通知信号を前記データ収集装置から送信するとともに、前記遅延時間記憶手段に記憶された前記第２の次回遅延時間情報と前記第２の端末識別情報とを含む第２の通知信号を前記データ収集装置から送信するステップ、および、前記遅延時間記憶手段に記憶された前記第１の次回遅延時間情報と前記第１の端末識別情報とを対応付けて含めるとともに、前記遅延時間記憶手段に記憶された前記第２の次回遅延時間情報と前記第２の端末識別情報とを対応付けて含めた第３の通知信号を前記データ収集装置から送信するステップのうちのいずれかのステップからなる通知信号送信ステップと、
前記第１の端末が前記第１の通知信号を受信した場合には、前記第１の端末に設けられた第１のデータ収集開始時刻記憶手段に記憶されたデータ収集開始時刻情報で示されるデータ収集開始時刻に、前記第１の通知信号に含まれる前記第１の次回遅延時間情報で示される時間を加えた第１の送信開始時刻を示す第１の送信開始時刻情報を前記第１の端末に設けられた第１の送信開始時刻記憶手段に記憶し、一方、前記第１の端末が前記第３の通知信号を受信した場合には、前記第１のデータ収集開始時刻記憶手段に記憶された前記データ収集開始時刻情報で示される前記データ収集開始時刻に、前記第３の通知信号に前記第１の端末識別情報と対応付けられて含まれる前記第１の次回遅延時間情報で示される時間を加えた前記第１の送信開始時刻を示す前記第１の送信開始時刻情報を前記第１の送信開始時刻記憶手段に記憶する第１の送信開始時刻記憶ステップと、
前記第１の端末が前記第１の送信開始時刻記憶手段に記憶された前記第１の送信開始時刻情報で示される時刻が到来したことを検出した時に、前記第１の端末に設けられた第１の送信データ記憶手段に記憶されているデータと前記第１の端末識別情報と前記第１の送信開始時刻情報とを含む前記送信データ信号を前記データ収集装置に送信する第１のデータ送信ステップと、
前記第２の端末が前記第２の通知信号を受信した場合には、前記第２の端末に設けられた第２のデータ収集開始時刻記憶手段に記憶された前記データ収集開始時刻情報で示される前記データ収集開始時刻に、前記第２の通知信号に含まれる前記第２の次回遅延時間情報で示される時間を加えた第２の送信開始時刻を示す第２の送信開始時刻情報を前記第２の端末に設けられた第２の送信開始時刻記憶手段に記憶し、一方、前記第２の端末が前記第３の通知信号を受信した場合には、前記第２のデータ収集開始時刻記憶手段に記憶された前記データ収集開始時刻情報で示される前記データ収集開始時刻に、前記第３の通知信号に前記第２の端末識別情報と対応付けられて含まれる前記第２の次回遅延時間情報で示される時間を加えた前記第２の送信開始時刻を示す前記第２の送信開始時刻情報を前記第２の送信開始時刻記憶手段に記憶する第２の送信開始時刻記憶ステップと、
前記第２の端末が前記第２の送信開始時刻記憶手段に記憶された前記第２の送信開始時刻情報で示される時刻が到来したことを検出した時に、前記第２の端末に設けられた第２の送信データ記憶手段に記憶されているデータと前記第２の端末識別情報と前記第２の送信開始時刻情報とを含む前記送信データ信号を前記データ収集装置に送信する第２のデータ送信ステップと
を含む。
【００１９】
また、本発明の第１のデータ収集方法は、
第１の端末に割り当てられた第１の端末識別情報と過去の前記第１の端末からデータ収集装置への送信データ信号の送信回数を示す第１の累積送信回数情報と過去の前記第１の端末から前記データ収集装置への前記送信データ信号の送信時間を累積した累積送信時間を示す第１の累積送信時間情報と第１の次回送信開始時刻情報とを対応づけて記憶するとともに、第２の端末に割り当てられた第２の端末識別情報と過去の前記第２の端末から前記データ収集装置への前記送信データ信号の送信回数を示す第２の累積送信回数情報と過去の前記第２の端末から前記データ収集装置への前記送信データ信号の送信時間を累積した累積送信時間を示す第２の累積送信時間情報と第２の次回送信開始時刻情報とを対応付けて記憶した送信開始時刻記憶手段を含む前記データ収集装置において、前記第１の端末識別情報を含む前記送信データ信号を受信したときに、前記送信開始時刻記憶手段に記憶されている前記第１の累積送信回数情報で示される送信回数に１を加えた新たな送信回数を示す情報で前記送信開始時刻記憶手段に記憶された前記第１の累積送信回数情報を更新し、前記第１の端末識別情報を含む前記送信データ信号を受信した時の前記時計手段が出力している時刻から前記送信開始時刻記憶手段に記憶された前記第１の送信開始時刻を引いた時間を前記送信開始時刻記憶手段に記憶されている前記第１の累積送信時間情報で示される累積送信時間に加えた新たな累積送信時間を示す情報で前記送信開始時刻記憶手段に記憶された前記第１の累積送信時間情報を更新し、更新された前記第１の累積送信時間情報で示される累積送信時間を、更新された前記第１の累積送信回数情報で示される累積送信回数で除した平均送信時間以上の時間を、前記送信開始時刻記憶手段に記憶されている前記第１の送信開始時刻情報で示される時刻に加えた時刻を示す情報を前記第２の次回送信開始時刻情報として前記送信開始時刻記憶手段に記憶する送信開始時刻時間更新ステップと、
前記送信開始時刻記憶手段に記憶された前記第１の次回送信開始時刻情報と前記第１の端末識別情報とを含む第１の通知信号を前記データ収集装置から送信するとともに、前記送信開始時刻記憶手段に記憶された前記第２の次回送信開始時刻情報と前記第２の端末識別情報とを含む第２の通知信号を前記データ収集装置から送信するステップ、および、前記送信開始時刻記憶手段に記憶された前記第１の次回送信開始時刻情報と前記第１の端末識別情報とを対応付けて含めるとともに、前記送信開始時刻記憶手段に記憶された前記第２の次回送信開始時刻情報と前記第２の端末識別情報とを対応付けて含めた第３の通知信号を前記データ収集装置に送信するステップのうちのいずれかのステップからなる通知信号送信ステップと、
前記第１の端末が前記第１の通知信号を受信した場合には、該第１の通知信号に含まれる前記第１の次回送信開始時刻情報を前記第１の端末に設けられた第１の送信開始時刻記憶手段に記憶し、一方、前記第１の端末が前記第３の通知信号を受信した場合には、前記第３の通知信号に前記第１の端末識別情報と対応付けられて含まれる前記第１の次回送信開始時刻情報を前記第１の送信開始時刻記憶手段に記憶する第１の送信開始時刻記憶ステップと、
前記第１の端末が前記第１の送信開始時刻記憶手段に記憶された前記第１の次回送信開始時刻情報で示される時刻が到来したことを検出した時に、前記第１の端末に設けられた第１の送信データ記憶手段に記憶されているデータと前記第１の端末識別情報とを含む前記送信データ信号を前記データ収集装置に送信する第１のデータ送信ステップと、
前記第２の端末が前記第２の通知信号を受信した場合には、該第２の通知信号に含まれる前記第２の次回送信開始時刻情報を前記第２の端末に設けられた第２の送信開始時刻記憶手段に記憶し、一方、前記第２の端末が前記第３の通知信号を受信した場合には、前記第３の通知信号に前記第２の端末識別情報と対応付けられて含まれる前記第２の次回送信開始時刻情報を前記第２の送信開始時刻記憶手段に記憶する第２の送信開始時刻記憶ステップと、
前記第２の端末が前記第２の送信開始時刻記憶手段に記憶された前記第２の次回送信開始時刻情報で示される時刻が到来したことを検出した時に、前記第２の端末に設けられた第２の送信データ記憶手段に記憶されているデータと前記第２の端末識別情報とを含む前記送信データ信号を前記データ収集装置に送信する第２のデータ送信ステップと
を含む。
【発明の効果】
【００２０】
本発明には、各端末からサーバに送信されるデータ量が予め分かっていなくても、サーバが複数の端末から同時に送信データ信号を受信することを回避できるという効果がある。
【図面の簡単な説明】
【００２１】
【図１】本発明の実施形態を示すブロック図である。
【図２】第１の実施形態において、サーバ２が各端末４から送信データ信号を受信した後の情報テーブル１９の内容を示す図である。
【図３】第１の実施形態において、端末４側で行っているデータ収集開始時刻に次回遅延時間を加算して次回送信開始時刻を求める処理を、サーバ２側で行う場合に使用する情報テーブル１９の内容を示す図である。
【図４】第２の実施形態において、サーバ２が各端末４から１回目の送信データ信号を受信した後の情報テーブル２０の内容を示す図である。
【図５】第２の実施形態において、サーバ２が各端末４から２回目の送信データ信号を受信した後の情報テーブル２０の内容を示す図である。
【図６】第２の実施形態において、端末４側で行っているデータ収集開始時刻に次回遅延時間を加算して次回送信開始時刻を求める処理を、サーバ２側で行う場合に使用する情報テーブル２０の内容を示す図である。
【発明を実施するための形態】
【００２２】
＜第１の実施形態＞
まず、本発明の第１の実施形態について詳細に説明する。
【００２３】
図１は、第１の実施形態を示すブロック図である。
【００２４】
本実施形態は、データ収集システム１から構成される。
【００２５】
データ収集システム１は、データ収集装置であるサーバ２と、それぞれ固有の識別情報を割り当てられた複数の端末４と、サーバ２と各端末４との間で通信を行うための有線または無線通信ネットワーク３とから構成される。
【００２６】
サーバ２は、送受信手段８と、記憶手段９と、時計手段１０と、制御手段１１とを含む。
【００２７】
送受信手段８は、ネットワーク３介して各端末と信号の授受を行う。
【００２８】
時計手段１０は、現在の時刻を出力する。
【００２９】
各端末４は、送受信手段１２と、データ収集開始時刻記憶手段１３と、送信遅延時間記憶手段１４と、送信開始時刻記憶手段１５と、時刻監視手段１６と、制御手段１７と、送信データ記憶手段１８とを含む。
【００３０】
送受信手段１２は、ネットワーク３を介してサーバと信号の授受を行う。
【００３１】
データ収集開始時刻記憶手段１３は、サーバ２が各端末４からデータの収集を開始する時刻であるデータ収集開始時刻を示すデータ収集開始時刻情報を記憶する。
【００３２】
送信遅延時間記憶手段１４は、サーバ２から送信されてくる通知信号に含まれる、送信遅延時間を示す、送信遅延時間情報を記憶する。
【００３３】
送信開始時刻記憶手段１５は、データ収集開始時刻記憶手段１３に記憶されたデータ収集開始時刻情報で示されるデータ収集開始時刻に、送信遅延時間記憶手段１４に記憶された送信遅延時間情報で示される送信遅延時間を加算した送信開始時刻を示す送信開始時刻情報を記憶する。
【００３４】
時刻監視手段１６は、送信開始時刻記憶手段１５に記憶された送信開始時刻情報で示される送信開始時刻が到来したか否かを監視する。
【００３５】
送信データ記憶手段１８は、サーバ２への送信データを一時的に記憶する。
【００３６】
次に、本実施形態の動作について説明する。
【００３７】
以下の説明では、端末４の数は３つで、これらの３つの端末４には、端末識別情報としてそれぞれ「端末Ａ」、「端末Ｂ」および「端末Ｃ」が割り当てられているとし、説明の便宜上、これらの３つの端末を、それらに割り当てられた端末識別情報と同じ「端末Ａ」、「端末Ｂ」および「端末Ｃ」と呼ぶこととする。
【００３８】
図２は、サーバ２の記憶手段９に記憶される情報テーブル１９を示す図である。
【００３９】
図２を参照すると、情報テーブル１９は、「端末識別情報」欄と、「前回送信時間」欄と、「次回遅延時間」欄とから成る。
【００４０】
「端末識別情報」欄には、３つの端末に割り当てられた端末識別情報「端末Ａ」、「端末Ｂ」および「端末Ｃ」が登録されている。
【００４１】
「前回送信時間」欄および「次回遅延時間」欄に登録される内容ついては、以下の動作説明において説明する。
【００４２】
今、端末Ａ、ＢおよびＣの送信開始時刻記憶手段１５には、それぞれ送信開始時刻「０時０分０秒」、「０時０分３０秒」および「０時０分８秒」を示す送信開始時刻情報が記憶されており、データ収集開始時刻記憶手段１３には、データ収集開始時刻「０時０分０秒」を示すデータ収集開始時刻情報が記憶されているものとする。
【００４３】
端末Ａの時刻監視手段１６が、現在時刻が送信開始時刻記憶手段１５に記憶されている送信開始時刻情報で示される送信開始時刻「０時０分０秒」になったことを検出すると、制御手段１７は、該送信開始時刻情報と、サーバ２に送信するために送信データ記憶手段１８にこれまでに記憶してきた送信データと、端末Ａに割り当てられた端末識別情報「端末Ａ」とを含む送信データ信号を送受信手段１２からネットワーク３を介してサーバ２に送信する。
【００４４】
サーバ２は、端末Ａから送信されてきた送信データ信号を送受信手段８で受信し、制御手段１１は、該送信データ信号に含まれる端末識別情報から、該送信データ信号の送信元は端末Ａであることを知り、該送信データ信号に含まれる送信開始時刻情報を端末Ａの送信データ信号の送信開始時刻として記憶手段９に一時的に記憶する。さらに、制御手段１１は、端末Ａからの送信データの受信完了を検出すると、そのときに時計手段１０から出力されている時刻を端末Ａの送信データの受信完了時刻として該受信完了時刻を示す受信完了時刻情報を記憶手段９に一時的に記憶する。
【００４５】
制御手段１１は、記憶手段９に記憶された受信完了時刻情報で示される端末Ａの送信データ信号の受信完了時刻から、記憶手段９に記憶された送信開始時刻情報で示される端末Ａの送信データ信号の送信開始時刻を引いた時間、すなわち、送信時間（ここでは、１８秒であったとする）を算出する。その後、制御手段１１は、情報テーブル１９の端末識別情報欄に端末識別情報「端末Ａ」が登録された行の前回送信時間欄に送信時間「１８」を前回送信時間情報として登録するとともに、同行の次回遅延時間欄に次回遅延時間「００」を次回遅延時間情報として登録する。
【００４６】
また、端末Ｂにおいては、時刻監視手段１６が、現在時刻が送信開始時刻記憶手段１５に記憶されている送信開始時刻情報で示される送信開始時刻「０時０分３０秒」になったことを検出すると、制御手段１７は、該送信開始時刻情報と、サーバ２に送信するために送信データ記憶手段１８にこれまでに記憶してきた送信データと、端末Ｂの端末識別情報「端末Ｂ」とを含む送信データ信号を送受信手段１２からネットワーク３を介してサーバ２に送信する。
【００４７】
サーバ２は、端末Ｂから送信されてきた送信データ信号を送受信手段８で受信し、制御手段１１は、該送信データ信号に含まれる端末識別情報から、該送信データ信号の送信元は端末Ｂであることを知り、該送信データ信号に含まれる送信開始時刻情報を端末Ｂの送信データ信号の送信開始時刻として記憶手段９に一時的に記憶する。さらに、制御手段１１は、端末Ｂからの送信データの受信完了を検出すると、そのときに時計手段１０から出力されている時刻を端末Ｂの送信データの受信完了時刻として該受信完了時刻を示す受信完了時刻情報を記憶手段９に一時的に記憶する。
【００４８】
制御手段１１は、記憶手段９に記憶された受信完了時刻情報で示される端末Ｂの送信データ信号の受信完了時刻から、記憶手段９に記憶された送信開始時刻情報で示される端末Ｂの送信データ信号の送信開時刻を引いた時間、すなわち、送信時間（ここでは、２１秒であったとする）を算出する。その後、制御手段１１は、情報テーブル１９の端末識別情報欄に端末識別情報「端末Ｂ」が登録された行の前回送信時間欄に送信時間「２１」を前回送信時間情報として登録する。
【００４９】
さらに、制御手段１１は、情報テーブル１９の端末識別情報欄に端末識別情報「端末Ａ」が登録された行の次回遅延時間欄に登録された「００」に、同行の前回送信時間欄に登録された「１８」以上の値（ここでは、「１８」を２倍した値である「３６」）を加算した「３６」を、端末識別情報欄に端末識別情報「端末Ｂ」が登録された行の次回遅延時間欄に次回遅延時間を示す次回遅延時間情報として登録する。
【００５０】
また、端末Ｃにおいては、時刻監視手段１６が、現在時刻が送信開始時刻記憶手段１５に記憶されている送信開始時刻情報で示される送信開始時刻「０時０分８秒」になったことを検出すると、制御手段１７は、該送信開始時刻情報と、サーバ２に送信するために送信データ記憶手段１８にこれまでに記憶してきた送信データと、端末Ｃの端末識別情報「端末Ｃ」とを含む送信データ信号を送受信手段１２からネットワーク３を介してサーバ２に送信する。
【００５１】
サーバ２は、端末Ｃから送信されてきた送信データ信号を送受信手段８で受信し、制御手段１１は、該送信データ信号に含まれる端末識別情報から、該送信データ信号の送信元は端末Ｃであることを知り、該送信データ信号に含まれる送信開始時刻情報を端末Ｃの送信データ信号の送信開始時刻として記憶手段９に一時的に記憶する。さらに、制御手段１１は、端末Ｃからの送信データの受信完了を検出すると、そのときに時計手段１０から出力されている時刻を端末Ｂの送信データの受信完了時刻として該受信完了時刻を示す受信完了時刻情報を記憶手段９に一時的に記憶する。
【００５２】
制御手段１１は、記憶手段９に記憶された受信完了時刻情報で示される端末Ｃの送信データ信号の受信完了時刻から、記憶手段９に記憶された送信開始時刻情報で示される端末Ｂの送信データ信号の送信開時刻を引いた時間、すなわち、送信時間（ここでは、４０秒であったとする）を算出する。その後、制御手段１１は、情報テーブル１９の端末識別情報欄に端末識別情報「端末Ｃ」が登録された行の前回送信時間欄に送信時間「４０」を前回送信時間情報として登録する。
【００５３】
さらに、制御手段１１は、情報テーブル１９の端末識別情報欄に端末識別情報「端末Ｂ」が登録された行の次回遅延時間欄に登録された「３６」に、同行の前回送信時間欄に登録された「２１」以上の値（ここでは、「２１」を２倍した値である「４２」）を加算した「７８」を、端末識別情報欄に端末識別情報「端末Ｃ」が登録された行の次回遅延時間欄に次回遅延時間を示す次回遅延時間情報として登録する。
【００５４】
このようにして、サーバ２は、複数の端末４から送信データ信号を順次受信して、端末毎に、情報テーブル１９に前回送信時間情報と次回遅延時間情報とを登録していく。
【００５５】
サーバ２は全ての端末４からのデータ収集が終了すると、テーブル１９の端末識別情報欄に登録された端末識別情報毎に、該端末識別情報と、当該端末識別情報と対応して次回遅延時間欄に登録された次回遅延時間情報とを含む通知信号をネットワーク３に送信する。
【００５６】
各端末４の送受信手段１２は、ネットワーク３を介してサーバ２から送信されて来る各通知信号に含まれる端末識別情報を調べ、自端末に割り当てられた端末識別情報を含む通知信号を受信した場合には、当該通知信号に含まれる次回遅延時間情報を制御手段１７に渡す。
【００５７】
制御手段１７は、渡された次回遅延時間情報を送信遅延時間記憶手段１４に記憶する。さらに、制御手段１７は、データ収集開始時刻記憶手段１３に記憶された時刻に、送信遅延時間記憶手段１４に記憶された次回遅延時間情報が示す次回遅延時間を加算することにより次回の送信開始時刻を求め、その送信開始時刻を送信開始時刻記憶手段１５に記憶する。
【００５８】
本実施例では、端末Ａの送受信手段１２は、ネットワーク３を介してサーバ２から送信されて来る各通知信号に含まれる端末識別情報を調べ、自端末に割り当てられた端末識別情報「端末Ａ」を含む通知信号を受信した場合には、当該通知信号に含まれる次回遅延時間情報「００」を制御手段１７に渡す。
【００５９】
制御手段１７は、渡された次回遅延時間情報「００」を送信遅延時間記憶手段１４に記憶する。さらに、制御手段１７は、データ収集開始時刻記憶手段１３に記憶されたデータ収集開始時刻情報で示されるデータ収集開始時刻「０時０分０秒」に、送信遅延時間記憶手段１４に記憶された次回遅延時間情報が示す次回遅延時間「００」を加算することにより次回の送信開始時刻「０時０分０秒」を求め、その送信開始時刻を示す送信開始時刻情報を送信開始時刻記憶手段１５に記憶する。
【００６０】
また、端末Ｂの送受信手段１２は、ネットワーク３を介してサーバ２から送信されて来る各通知信号に含まれる端末識別情報を調べ、自端末に割り当てられた端末識別情報「端末Ｂ」を含む通知信号を受信した場合には、当該通知信号に含まれる次回遅延時間情報「３６」を制御手段１７に渡す。
【００６１】
制御手段１７は、渡された次回遅延時間情報「３６」を送信遅延時間記憶手段１４に記憶する。さらに、制御手段１７は、データ収集開始時刻記憶手段１３に記憶されたデータ収集開始時刻情報で示されるデータ収集開始時刻「０時０分０秒」に、送信遅延時間記憶手段１４に記憶された次回遅延時間情報が示す次回遅延時間「３６」を加算することにより次回の送信開始時刻「０時０分３６秒」を求め、その送信開始時刻を示す送信開始時刻情報を送信開始時刻記憶手段１５に記憶する。
【００６２】
さらに、端末Ｃの送受信手段１２は、ネットワーク３を介してサーバ２から送信されて来る各通知信号に含まれる端末識別情報を調べ、自端末に割り当てられた端末識別情報「端末Ｃ」を含む通知信号を受信した場合には、当該通知信号に含まれる次回遅延時間情報「７８」を制御手段１７に渡す。
【００６３】
制御手段１７は、渡された次回遅延時間情報「７８」を送信遅延時間記憶手段１４に記憶する。さらに、制御手段１７は、データ収集開始時刻記憶手段１３に記憶されたデータ収集開始時刻情報で示されるデータ収集開始時刻「０時０分０秒」に、送信遅延時間記憶手段１４に記憶された次回遅延時間情報が示す次回遅延時間「７８」を加算することにより次回の送信開始時刻「０時１分１８秒」を求め、その送信開始時刻を示す送信開始時刻情報を送信開始時刻記憶手段１５に記憶する。
【００６４】
こうして、上述したように、各端末４は、自身の送信開始時刻記憶手段１５に記憶された送信開始時刻情報で示される送信開始時刻が到来すると、自身の送信データ記憶手段１８に記憶された送信データを含む送信データ信号をサーバ２に送信し、サーバ２は全ての端末４から送信データ信号を順次受信し、各端末に対応する、テーブル１９の前回送信時間欄および次回遅延時間欄の内容を更新し、更新した次回遅延時間欄の内容を対応する端末に通知する。
【００６５】
なお、本実施形態では、各端末４から送信する送信データ信号に送信開始時刻情報を含めているが、サーバ２側で、記憶手段９にデータ収集開始時刻情報を記憶しておけば、該データ収集開始時刻情報で示されるデータ収集開始時刻と、情報テーブル１９の次回遅延時間欄に登録された各次回遅延時間情報で示される次回遅延時間とから各端末の送信開始時刻を計算できるので、そのようにして各端末の送信開始時刻を求めるようにサーバ２を構成した場合には、送信データ信号に送信開始時刻情報を含める必要はない。
【００６６】
また、本実施形態では、各端末のデータ収集開始時刻記憶手段１３には、データ収集開始時刻「０時０分０秒」を示すデータ収集開始時刻情報が固定的に記憶される例を示したが、サーバ２から送信される通知信号に所望のデータ収集開始時刻を示すデータ収集開始時刻情報を含めて、受信した通知信号に含まれるこの収集開始時刻情報を各端末のデータ収集開始時刻記憶手段１３に記憶させるようにしてもよい。
【００６７】
また、本実施形態では、サーバ２から次回遅延時間情報を各端末に送信する例を示したが、端末４側で行っているデータ収集開始時刻に次回遅延時間を加算して次回の送信開始時刻を求める処理をサーバ２側で行い、サーバ２から各端末に通知する通知信号に当該端末での送信開始時刻を示す送信開始時刻情報を含め、各端末は受信した通知信号に含まれる自端末での送信開始時刻を示す送信開始時刻情報を送信開始時刻記憶手段１５に記憶するようにしてもよい。
【００６８】
この場合には、各端末４に、データ収集開始時刻記憶手段１３および送信遅延時間記憶手段１４を設ける必要がなくなることは言うまでもない。また、この場合、テーブル１９の次回遅延情報欄に代えて、図３に示すような、各端末の次回送信開始時刻を示す次回送信開始時刻情報を登録した次回送信開始時刻欄を設ければよい。さらに、この場合には、各端末４からサーバ２に送信する送信データ信号に送信開始時刻情報を含める必要もなくなる。
【００６９】
また、本実施形態では、各端末宛に当該端末のための次回遅延時間情報を含む通知信号を送るようにしているが、一つの通知信号に各端末の端末識別情報と当該端末のための次回遅延時間情報とを対応付けて含め、各端末４において、その通知信号に含まれる自端末に割り当てられた端末識別情報と対応付けられてその通知信号に含まれている次回遅延時間情報を抽出するようにしてもよい。
【００７０】
以上、本実施形態には、各端末からサーバに送信されるデータ量が予め分かっていなくても、サーバが複数の端末から同時に送信データ信号を受信することを回避できるという効果がある。
【００７１】
その理由は、各端末の前回のデータ送信に要した時間に基づき、複数の端末の次回のデータ送信が重ならないように、各端末における次回の送信開始時刻を決定するようにしたからである。
【００７２】
＜第２の実施形態＞
次に、本発明の第２の実施形態について説明する。
【００７３】
本実施形態の構成は、図１に示した第１の実施形態のそれと同じであるが、サーバ２の制御手段１１が実行する次回遅延時間または次回送信時刻の算出方法が第１の実施形態のそれと異なる。
【００７４】
すなわち、第１の実施形態においては、端末４毎に、前回送信時間に基づいて次回遅延時間または次回送信時刻を求めたのに対して、本実施形態では、端末４毎に、過去の送信時間を平均した平均送信時間に基づいて次回遅延時間または次回送信時刻を求める。
【００７５】
以下では、本実施形態における平均送信時間および次回遅延時間の求め方を詳細に説明する。
【００７６】
本実施形態においては、図３に示した情報テーブル１９に代えて、図４に示す情報テーブル２０が記憶手段９に記憶される。
【００７７】
図４を参照すると、情報テーブル２０は、各端末に割り当てられた端末識別情報が登録された「端末識別情報」欄と、過去の各端末４からサーバ２への送信データ信号の送信の回数である累積送信回数を示す累積送信回数情報が登録された「累積送信回数」欄と、過去の各端末４からサーバ２への送信データ信号の送信時間を累積した累積送信時間を示す累積送信時間情報が登録された「累積送信時間」欄と、「累積送信時間」欄の各行に登録された累積送信時間情報で示される累積送信時間を、対応する行の「累積送信回数」欄に登録された累積送信回数情報で示される累積送信回数で除することにより求めた平均送信時間を示す平均送信時間情報が登録された「平均送信時間」欄と、各端末の次回遅延時間を示す次回遅延時間情報が登録された「次回遅延時間」欄とから成る。
【００７８】
テーブル２０の次回遅延時間欄に登録される次回遅延時間情報で示される次回遅延時間は、第１の実施形態において、テーブル１９の前回送信時間欄に登録された前回送信時間情報に基づいて求めた方法と同様の方法で、後述するように、テーブル２０の平均送信時間欄に登録された平均送信時間情報に基づいて求められる。
【００７９】
そして、各端末４には、対応する次回遅延時間を示す次回遅延時間情報を含む通知信号が第１の実施形態と同様に送信され、通知信号を受信した各端末４は、第１の実施形態と同様にして、通知信号に含まれる遅延時間情報に基づいて、次回の送信データ信号の送信の開始時刻である送信開始時刻を示す送信開始時刻情報を送信開始時刻記憶手段１５に記憶する。
【００８０】
例えば、図４に示したテーブル２０の次回遅延時間欄に登録された次回遅延時間「００」、「３６」および「７８」を示す次回遅延時間情報を含む通知信号がそれぞれ端末Ａ、ＢおよびＣに送信され、端末Ａ、ＢおよびＣのデータ収集開始時刻記憶手段１３に記憶されているデータ収集開始時刻情報で示されるデータ収集開始時刻が「０時０分０秒」であるとすると、第１の実施形態と同様にして、端末Ａ、ＢおよびＣの送信開始時刻記憶手段１５には、それぞれ送信開始時刻「０時０分０秒」、「０時０分３６秒」および「０時１分１８秒」を示す送信開始時刻情報が記憶される。
【００８１】
その後、端末Ａ、ＢおよびＣのそれぞれは、自身の送信開始時刻記憶手段１５に記憶された送信開始時刻情報で示される送信開始時刻が到来すると、第１の実施形態と同様に、送信データ信号のサーバ２への送信を開始する。
【００８２】
サーバ２の制御手段１１は、各端末４から送信データ信号を受信すると、第１の実施形態と同様にして、各送信時間を算出する。
【００８３】
例えば、端末Ａ、ＢおよびＣに対して算出された送信時間がそれぞれ２０秒、１８秒および３８秒であったとする。
【００８４】
この場合、サーバ２の制御手段１１は、テーブル２０の端末識別情報欄の「端末Ａ」が登録された行の累積送信回数欄に登録されている累積送信回数情報で示される累積送信回数を現在の「１」に１を加算した「２」に更新し、同行の累積送信時間欄に登録されている累積送信時間情報で示される累積送信時間を現在の「１８」に２０を加算した「３８」に更新し、同行の平均送信時間欄に登録されている平均送信時間情報で示される平均送信時間を現在の「１８」から「１９」（更新後の累積送信時間「３８」を更新後の累積送信回数「２」で除した値）に更新する。
【００８５】
同様に、サーバ２の制御手段１１は、テーブル２０の端末識別情報欄の「端末Ｂ」が登録された行の累積送信回数欄に登録されている累積送信回数情報で示される累積送信回数を現在の「１」に１を加算した「２」に更新し、同行の累積送信時間欄に登録されている累積送信時間情報で示される累積送信時間を現在の「２１」に１８を加算した「３９」に更新し、同行の平均送信時間欄に登録されている平均送信時間情報で示される平均送信時間を現在の「２１」から「２０」（更新後の累積送信時間「３９」を更新後の累積送信回数「２」で除した値「１９．５」の小数点以下を四捨五入した値）に更新し、さらに、テーブル２０の端末識別情報欄の「端末Ｃ」が登録された行の累積送信回数欄に登録されている累積送信回数情報で示される累積送信回数を現在の「１」に１を加算した「２」に更新し、同行の累積送信時間欄に登録されている累積送信時間情報で示される累積送信時間を現在の「４０」に３８を加算した「７８」に更新し、同行の平均送信時間欄に登録されている平均送信時間情報で示される平均送信時間を現在の「４０」から「３９」（更新後の累積送信時間「７８」を更新後の累積送信回数「２」で除した値）に更新する。
【００８６】
以上のようにして更新されたテーブル２０の内容を図５に示す。
【００８７】
なお、テーブル２０の次回遅延時間欄に登録される次回遅延時間情報で示される次回遅延時間は、第１の実施形態において、前回送信時間情報に基づいて求めたのと同様の方法で、平均送信時間情報に基づいて求められる。
【００８８】
例えば、端末Ｂに対する次回遅延時間は、図５のテーブル２０の端末識別情報欄に端末識別情報「端末Ａ」が登録された行の次回遅延時間欄に登録された「００」に、同行の平均送信時間欄に登録された平均送信時間「１９」以上の値（ここでは、「１９」を２倍した値である「３８」）を加算した「３８」であり、この値「３８」が端末識別情報欄の「端末Ｂ」が登録された行の次回遅延時間欄に登録され、さらに、端末Ｃに対する次回遅延時間は、端末識別情報欄に端末識別情報「端末Ｂ」が登録された行の次回遅延時間欄に登録された「３８」に、同行の平均送信時間欄に登録された平均送信時間「２０」以上の値（ここでは、「２０」を２倍した値である「４０」）を加算した「７８」であり、この値「７８」が端末識別情報欄の「端末Ｃ」が登録された行の次回遅延時間欄に登録される。
【００８９】
そして、サーバ２の制御手段１１は、このテーブル２０を参照して、各端末４に、対応する次回遅延時間を示す次回遅延時間情報を含む通知信号を第１の実施形態と同様に送信し、通知信号を受信した各端末４は、第１の実施形態と同様にして、通知信号に含まれる遅延時間情報に基づいて、次回の送信データ信号の送信の開始時刻である送信開始時刻を示す送信開始時刻情報を送信開始時刻記憶手段１５に記憶する。
【００９０】
なお、第１の実施形態と同様に、本実施形態でも、サーバ２から次回遅延時間情報を各端末に送信せずに、端末４側で行っているデータ収集開始時刻に次回遅延時間を加算して次回の送信開始時刻を求める処理をサーバ２側で行い、サーバ２から各端末に通知する通知信号に当該端末での送信開始時刻を示す送信開始時刻情報を含め、各端末は受信した通知信号に含まれる自端末での送信開始時刻を示す送信開始時刻情報を送信開始時刻記憶手段１５に記憶するようにしてもよい。この場合、テーブル２０の次回遅延情報欄に代えて、図６に示すような、各端末の次回送信開始時刻を示す次回送信開始時刻情報を登録した次回送信開始時刻欄を設ければよい。
【００９１】
以上、本実施形態には、第１の実施形態と同様に、各端末からサーバに送信されるデータ量が予め分かっていなくても、サーバが複数の端末から同時に送信データ信号を受信することを回避できるという効果がある。
【００９２】
その理由は、各端末の前回のデータ送信に要した時間の平均時間に基づき、複数の端末の次回のデータ送信が重ならないように、各端末における次回の送信開始時刻を決定するようにしたからである。
【符号の説明】
【００９３】
１    データ収集システム
２    サーバ
３    通信ネットワーク
４    端末
８    送受信手段
９    記憶手段
１０    時計手段
１１    制御手段
１２    送受信手段
１３    データ収集開始時刻記憶手段
１４    送信遅延時間記憶手段
１５    送信開始時刻記憶手段
１６    時刻監視手段
１７    制御手段
１８    送信データ記憶手段
１９    情報テーブル
２０    情報テーブル
【図１】
2015126302.tif 000003
【図２】
2015126302.tif 000004
【図３】
2015126302.tif 000005
【図４】
2015126302.tif 000006
【図５】
2015126302.tif 000007
【図６】
2015126302.tif 000008